(57)【要約】【課題】多数の表示ユニットを配列して大画面の表示装置を構成した場合に、表示ユニット間の輝度ばらつきや継ぎ目を目立たせないようにさせ、しかも、画質の向上を図る。【解決手段】本実施の形態に係る輝度補正テーブルの作成過程は、まず、ステップＳ１において、ディスプレイに一様の画像を表示し、全ドットの輝度を検出する。具体的には、ディスプレイの全ドットに対して例えばグレースケールの中間レベル（フルスケールとして２５６の階調レベルとしたとき、例えば１２８の階調レベル）の信号を与えて表示させ、この状態で例えばＣＣＤカメラで全ドットの各輝度を測定して、このディスプレイの実測輝度分布を求める。その後、ステップＳ２において、各ドットの輝度目標値を算出し、次いで、ステップＳ３において、各ドットの輝度目標値に基づいて各ドットについての輝度補正係数を算出する。【選択図】図４６
2004086165.tif 000002
【特許請求の範囲】
【請求項１】
複数の表示用素子が配列された表示ユニットが複数配列されて構成された表示装置の製造方法において、
前記表示装置に一様の画像を表示し、各表示用素子の輝度を検出する工程と、
前記各表示用素子の輝度目標値を算出する工程と、
前記各表示用素子の輝度目標値に基づいて前記各表示用素子についての輝度補正係数を算出する工程とを有することを特徴とする表示装置の製造方法。
【請求項２】
請求項１記載の表示装置の製造方法において、
前記輝度目標値の算出は、当該表示用素子とその周辺に配列された複数の表示用素子の輝度を平均し、該平均値を当該表示用素子の輝度目標値とすることを特徴とする表示装置の製造方法。
【請求項３】
請求項２記載の表示装置の製造方法において、
当該表示用素子の周辺に配列された複数の表示用素子は、垂直方向に並ぶ２ｍ＋１行分の表示用素子群に含まれ、かつ、水平方向に並ぶ２ｎ＋１列分の表示用素子群に含まれることを特徴とする表示装置の製造方法。
【請求項４】
請求項３記載の表示装置の製造方法において、
１つの前記表示ユニットについて、垂直方向にＭ個の表示用素子が配列され、水平方向にＮ個の表示用素子が配列され、合計でＭ×Ｎ個の表示用素子を有する場合に、
前記ｍ及びｎは、α及びβをそれぞれ１以上の変数としたとき、
（１／２）Ｍ≦２ｍ＋１≦αＭ
（１／２）Ｎ≦２ｎ＋１≦βＮ
であることを特徴とする表示装置の製造方法。
【請求項５】
請求項４記載の表示装置の製造方法において、
前記α及びβは、
前記輝度補正係数が上限値を超える表示用素子の数が所定数以下となるように設定されることを特徴とする表示装置の製造方法。
【請求項６】
請求項１〜５のいずれか１項に記載の表示装置の製造方法において、
算出された前記輝度目標値のうち、最小値を示す表示用素子を検索する第１の工程と、
検索対象の表示用素子について、現在の輝度目標値を一定値だけ向上させる第２の工程とを有することを特徴とする表示装置の製造方法。
【請求項７】
請求項１〜６のいずれか１項に記載の表示装置の製造方法において、
算出された前記輝度目標値のうち、しきい値を超える表示用素子を検索する工程と、
検索対象の表示用素子について、現在の輝度目標値をしきい値まで低減させる工程とを有することを特徴とする表示装置の製造方法。
【請求項８】
請求項１〜７のいずれか１項に記載の表示装置の製造方法において、
前記輝度補正係数の算出は、色温度を加味して行われることを特徴とする表示装置の製造方法。
【請求項９】
請求項８記載の表示装置の製造方法において、
算出された前記各表示用素子の輝度目標値について、それぞれ配色に応じた規格化を行う工程と、
規格化後の値が一定範囲に入るように修正する工程と、
修正後の値に対し、それぞれ配色に応じた復元処理を行って色温度が加味された輝度目標値を得る工程とを有することを特徴とする表示装置の製造方法。
【請求項１０】
請求項９記載の表示装置の製造方法において、前記色温度が加味された輝度目標値を得る工程は、
色温度調節定数を乗算する処理を含むことを特徴とする表示装置の製造方法。
【請求項１１】
請求項１〜１０のいずれか１項に記載の表示装置の製造方法において、
前記表示ユニットは、
光源からの光が導入される光導波板と、該光導波板の一方の板面に対向して設けられ、かつ多数の画素に対応した数の表示用素子が配列された駆動部を具備し、入力される画像信号の属性に応じて前記光導波板に対する前記表示用素子におけるアクチュエータ部の接触・離隔方向の変位動作を制御して、前記光導波板の所定部位の漏れ光を制御することにより、前記光導波板に前記画像信号に応じた映像を表示させる表示ユニットであることを特徴とする表示装置の製造方法。
【請求項１２】
複数の表示用素子が配列された表示ユニットが複数配列されて構成された表示装置の製造方法において、
各表示ユニットについてそれぞれ特性値を得る工程と、
得られた特性値に基づいて前記表示ユニットをランク分けする工程と、
前記表示装置における前記複数の表示ユニットの配列領域を区分して、各領域に配列すべき表示ユニットのランクを指定する工程と、
前記指定に従って前記表示ユニットを配列して前記表示装置を作製することを特徴とする表示装置の製造方法。
【請求項１３】
請求項１２記載の表示装置の製造方法において、
ランク分けされた表示ユニットを、指定された領域に配列する際に、同一ランク内において順序付けされた表示ユニットを所定の規則に従って配列することを特徴とする表示装置の製造方法。
【請求項１４】
請求項１２又は１３記載の表示装置の製造方法において、
前記表示ユニットの配列領域を中央部分と周辺部分に区分し、
前記中央部分にランクの高い表示ユニットを配列し、前記周辺部分にランクの低い表示ユニットを配列することを特徴とする表示装置の製造方法。
【請求項１５】
請求項１２〜１４のいずれか１項に記載の表示装置の製造方法において、
前記特性値が表示ユニットを構成する複数の表示用素子の平均輝度と、表示用素子の欠損数である場合に、
前記ランク分けは、平均輝度によるランクと欠損数によるランクの総合評価によって決すること特徴とする表示装置の製造方法。
【請求項１６】
請求項１５記載の表示装置の製造方法において、
前記表示ユニットの配列領域を中央部分と周辺部分に区分し、
前記中央部分に欠損数によるランクの高い表示ユニットを配列し、前記周辺部分に欠損数によるランクの低い表示ユニットを配列することを特徴とする表示装置の製造方法。
【請求項１７】
請求項１６記載の表示装置の製造方法において、
前記中央部分と周辺部分に、前記平均輝度によるランクがほぼ同じである表示ユニットを配列することを特徴とする表示装置の製造方法。
【発明の詳細な説明】
【０００１】
【発明の属する技術分野】
本発明は、消費電力が小さく、画面輝度の大きな表示装置の製造方法に関し、特に、表示ユニットが複数配列されて構成された表示装置の輝度補正過程に適用して好適な表示装置の製造方法に関する。
【０００２】
【従来の技術】
従来から、表示装置として、陰極線管（ＣＲＴ）、液晶表示装置、プラズマディスプレイ等の表示装置が知られている。
【０００３】
陰極線管としては、通常のテレビジョン受像機やコンピュータ用のモニタ装置等が知られているが、画面は明るいものの、消費電力が大きく、また、画面の大きさに比例して表示装置全体の奥行きが大きくなるという問題がある。また、表示画像の周辺部で分解能が低下し、像又は図形が歪む、記憶作用がない、大型表示ができないなどの難点もある。
【０００４】
この理由は、電子銃から放射された電子ビームを大きく偏向させることから、電子ビームがブラウン管の蛍光面に斜めに到達する箇所では発光点（ビームスポット）が広がり、像が斜めに表示されるようになる。これにより、表示画像に歪みが生じることになる。また、ブラウン管内部の大きな空間を真空に保つには限度があるからである。
【０００５】
一方、液晶表示装置は、装置全体を小型化でき、消費電力が少ないという利点があるものの、画面の輝度が劣り、画面視野角度が狭いという問題がある。また、電圧レベルにより階調表現を行うようにしているため、駆動回路の構成が非常に複雑になるという難点がある。
【０００６】
例えば、デジタルデータ線を用いた場合、その駆動回路は、コンポーネントＲＧＢデータ（各８ビット）を所定期間保持するラッチ回路と、電圧セレクタと、階調数に応じた種類の電圧レベルに切り換えるマルチプレクサと、該マルチプレクサからの出力データをデジタルデータ線に加えるための出力回路を有して構成される。この場合、階調数が大きくなるとマルチプレクサにおいて非常に多くのレベルの切換え動作が必要になり、それに伴って、回路構成が複雑になる。
【０００７】
アナログデータ線を用いた場合、その駆動回路は、順次入力されるコンポーネントＲＧＢデータ（各８ビット）を水平方向に整列させるためのシフトレジスタと、シフトレジスタからのパラレルデータを所定期間保持するラッチ回路と、電圧レベルの調整をとるレベルシフタと、レベルシフタからの出力データをアナログ信号に変換するＤ／Ａ変換器と、該Ｄ／Ａ変換器からの出力信号をアナログデータ線に加えるための出力回路を有して構成される。この場合、Ｄ／Ａ変換器において、オペアンプを使用することにより、階調に応じた所定の電圧を得るようにしているが、階調の範囲が広くなると、高精度の電圧を出力するオペアンプを使用する必要があり、構造が複雑になると共に価格も高くなるという欠点がある。
【０００８】
プラズマディスプレイは、液晶表示装置と同様に、表示部自体が体積をとらないため、小型化が可能であり、平板な表示面であるため、見やすいという長所があり、特に、交流型プラズマディスプレイにおいては、セルの記憶作用により、リフレッシュメモリが不要であるという長所も有する。
【０００９】
ところで、前記プラズマディスプレイにおいては、セルに記憶作用を持たせるために、印加電圧の極性を交番的に切り換えて放電を持続させる必要がある。従って、駆動回路に、Ｘ方向のサスティンパルスを発生させるための第１のパルス発生器と、Ｙ方向のサスティンパルスを発生させるための第２のパルス発生器を設ける必要があり、駆動回路の構成がどうしても複雑になるという問題がある。
【００１０】
一方、本出願人は、前記ＣＲＴ、液晶表示装置やプラズマディスプレイでの問題を解消するために、新規な表示装置を提案した（例えば、特開平７−２８７１７６号公報参照）。この表示装置は、図７９に示すように、画素毎に配列されたアクチュエータ部１０００を有し、各アクチュエータ部１０００は、圧電／電歪層１００２と該圧電／電歪層１００２の上面及び下面にそれぞれ形成された上部電極１００４と下部電極１００６とを具備したアクチュエータ部本体１００８と、該アクチュエータ部本体１００８の下部に配設された振動部１０１０と固定部１０１２からなる基体１０１４とを有して構成されている。アクチュエータ部本体１００８の下部電極１００６は、振動部１０１０と接触して、振動部１０１０により前記アクチュエータ部本体１００８が支持されている。
【００１１】
前記基体１０１４は、振動部１０１０及び固定部１０１２が一体となってセラミックスにて構成され、更に、基体１０１４には、前記振動部１０１０が薄肉になるように凹部１０１６が形成されている。
【００１２】
また、アクチュエータ部本体１００８の上部電極１００４には、光導波板１０１８との接触面積を所定の大きさにするための変位伝達部１０２０が接続されており、図７９の例では、前記変位伝達部１０２０は、アクチュエータ部１０００が静止している通常状態において、光導波板１０１８に近接して配置され、励起状態において前記光導波板１０１８に光の波長以下の距離で接触するように配置されている。
【００１３】
そして、前記光導波板１０１８の例えば端部から光１０２２を導入する。この場合、光導波板１０１８の屈折率の大きさを調節することにより、全ての光１０２２が光導波板１０１８の前面及び背面において透過することなく内部で全反射する。この状態で、前記上部電極１００４及び下部電極１００６を通してアクチュエータ部１０００に画像信号の属性に応じた電圧信号を選択的に印加して、該アクチュエータ部１０００に通常状態による静止と励起状態による変位を行わせることにより、前記変位伝達部１０２０の光導波板１０１８への接触・離隔が制御され、これにより、前記光導波板１０１８の所定部位の散乱光（漏れ光）１０２４が制御されて、光導波板１０１８に画像信号に応じた映像の表示がなされる。
【００１４】
この表示装置によれば、（１）消費電力を少なくできること、（２）画面輝度を大きくすることができること、（３）カラー画面にする場合において、画素数を白黒画面の場合に比して増加させる必要がないこと等の利点を有する。
【００１５】
上述のような表示装置の周辺回路においては、例えば図８０に示すように、多数の画素が配列された表示部１０３０と、１つの行を構成する多数の画素（画素群）に対して共通とされた垂直選択線１０３２が必要な行数分導出された垂直シフト回路１０３４と、１つの列を構成する多数の画素（画素群）に対して共通とされた信号線１０３６が必要な列数分導出された水平シフト回路１０３８を有して構成されている。
【００１６】
【発明が解決しようとする課題】
ところで、上述のような表示装置においては、多数の表示ユニットを並べて大画面ディスプレイを構成する場合がある。その場合、多数の表示ユニットをランダムに配列していくことが考えられるが、表示ユニット間に平均輝度のばらつきがあることから、画質が劣化するおそれがある。
【００１７】
つまり、例えば平均輝度の高い表示ユニットに隣接して平均輝度が極端に低い表示ユニットが配列された場合、平均輝度の落差によって表示ユニットの存在が顕著に現れてしまい、表示装置の画面上に表示された画像が見づらいものとなる。しかも、表示ユニットの継ぎ目が目立つという弊害もある。
【００１８】
本発明はこのような課題を考慮してなされたものであり、多数の表示ユニットを配列して大画面の表示装置を構成した場合に、表示ユニット間の輝度ばらつきや継ぎ目を目立たせないようにすることができ、画質の向上を図ることができる表示装置の製造方法を提供することを目的とする。
【００１９】
また、本発明の他の目的は、表示むらや明るさの段差などを極力小さくして、人の目に対する違和感をなくし、画像の画質を高めることができる表示装置の製造方法を提供することを目的とする。
【００２０】
【課題を解決するための手段】
本発明は、複数の表示用素子が配列された表示ユニットが複数配列されて構成された表示装置の製造方法において、前記表示装置に一様の画像を表示し、各表示用素子の輝度を検出する工程と、前記各表示用素子の輝度目標値を算出する工程と、前記各表示用素子の輝度目標値に基づいて前記各表示用素子についての輝度補正係数を算出する工程とを有することを特徴とする。
【００２１】
輝度目標値として輝度分布のばらつきを抑える値に設定することで、その効果が輝度補正係数に反映される。従って、表示用素子が駆動あるいは発光する際に、発光輝度が輝度補正係数に基づいて補正されることとなるが、このとき、輝度分布のばらつきが有効に抑えられて発光することとなり、表示ユニット間の輝度ばらつきや継ぎ目を目立たせないようにすることができる。
【００２２】
そして、前記製造方法において、前記輝度目標値の算出は、当該表示用素子とその周辺に配列された複数の表示用素子の輝度を平均し、該平均値を当該表示用素子の輝度目標値とするようにしてもよい。即ち、移動平均化によって輝度分布のばらつきを抑制するというものである。
【００２３】
この場合、当該表示用素子の周辺に配列された複数の表示用素子は、垂直方向に並ぶ２ｍ＋１行分の表示用素子群に含まれ、かつ、水平方向に並ぶ２ｎ＋１列分の表示用素子群に含まれるようにしてもよい。
【００２４】
また、１つの前記表示ユニットについて、垂直方向にＭ個の表示用素子が配列され、水平方向にＮ個の表示用素子が配列され、合計でＭ×Ｎ個の表示用素子を有する場合に、前記ｍ及びｎは、α及びβをそれぞれ１以上の変数としたとき、
（１／２）Ｍ≦２ｍ＋１≦αＭ
（１／２）Ｎ≦２ｎ＋１≦βＮ
とする。特に、前記α及びβは、前記輝度補正係数が上限値を超える表示用素子の数が所定数以下となるように設定する。
【００２５】
このようにすれば、表示ユニット内の輝度分布のばらつきを抑制しつつ、継ぎ目も目立たなくでき、しかも、表示ユニットの個々の輝度を生かすことができ、明るく発光させることができる表示ユニットを必要以上に輝度低下させることのないようにすることができる。
【００２６】
そして、算出された前記輝度目標値のうち、最小値を示す表示用素子を検索し、検索対象の表示用素子について、現在の輝度目標値を一定値だけ向上させるようにしてもよい。
【００２７】
前記手法により、表示ユニット間において画像が不連続になるという不都合が解消され（連続面の維持）、しかも、表示ユニットの表示能力を最大まで引き出すことができる。
【００２８】
また、その他の方法としては、算出された前記輝度目標値のうち、しきい値を超える表示用素子を検索し、検索対象の表示用素子について、現在の輝度目標値をしきい値まで低減させるようにしてもよい。
【００２９】
また、本発明は、前記輝度補正係数の算出において、色温度を加味して行うようにしてもよい。
【００３０】
具体的には、算出された前記各表示用素子の輝度目標値について、それぞれ配色に応じた規格化を行い、規格化後の値が一定範囲に入るように修正し、修正後の値に対し、それぞれ配色に応じた復元処理を行って色温度が加味された輝度目標値を得るようにしてもよい。なお、前記色温度が加味された輝度目標値を得る場合、色温度調節定数を乗算する処理を含むようにしてもよい。
【００３１】
前記表示ユニットとしては、光源からの光が導入される光導波板と、該光導波板の一方の板面に対向して設けられ、かつ多数の画素に対応した数の表示用素子が配列された駆動部を具備し、入力される画像信号の属性に応じて前記光導波板に対する前記表示用素子におけるアクチュエータ部の接触・離隔方向の変位動作を制御して、前記光導波板の所定部位の漏れ光を制御することにより、前記光導波板に前記画像信号に応じた映像を表示させる表示ユニットであってもよい。
【００３２】
また、本発明は、複数の表示用素子が配列された表示ユニットが複数配列されて構成された表示装置の製造方法において、各表示ユニットについてそれぞれ特性値を得る工程と、得られた特性値に基づいて前記表示ユニットをランク分けする工程と、前記表示装置における前記複数の表示ユニットの配列領域を区分して、各領域に配列すべき表示ユニットのランクを指定する工程と、前記指定に従って前記表示ユニットを配列して前記表示装置を作製することを特徴とする。
【００３３】
これにより、表示むらや明るさの段差などを極力小さくすることができ、人の目に対する違和感をなくし、画像の画質を高めることができる。
【００３４】
この場合、ランク分けされた表示ユニットを指定された領域に配列する際に、同一ランク内において順序付けされた表示ユニットを所定の規則に従って配列すれば、表示装置全体としてみたとき、滑らかな輝度分布にすることができる。
【００３５】
特に、前記表示ユニットの配列領域を中央部分と周辺部分に区分し、前記中央部分にランクの高い表示ユニットを配列し、前記周辺部分にランクの低い表示ユニットを配列してもよい。これは、周辺が暗くても人の目では気づきにくいという特性を利用したもので、人の目に対する違和感をなくす上で有効となる。
【００３６】
そして、前記特性値が、表示ユニットを構成する複数の表示用素子の平均輝度と、表示用素子の欠損数である場合に、前記ランク分けは、平均輝度によるランクと欠損数によるランクの総合評価によって決するようにしてもよい。
【００３７】
この場合、前記表示ユニットの配列領域を中央部分と周辺部分に区分し、前記中央部分に欠損数によるランクの高い表示ユニットを配列し、前記周辺部分に欠損数によるランクの低い表示ユニットを配列するようにしてもよい。なお、前記中央部分と周辺部分に、前記平均輝度によるランクがほぼ同じである表示ユニットを配列するようにしてもよい。
【００３８】
【発明の実施の形態】
以下、本発明に係る表示装置の製造方法が適用されるディスプレイの実施の形態例（以下、単に実施の形態に係るディスプレイと記す）を図１〜図７８を参照しながら説明する。
【００３９】
本実施の形態に係るディスプレイ１０は、図１に示すように、ディスプレイ１０としての表示面積を有する導光板１２の背面に、複数個の表示ユニット１４が配列されて構成されている。
【００４０】
各表示ユニット１４は、図２に示すように、光源１６からの光１８が導入される光導波板２０と、該光導波板２０の背面に対向して設けられ、かつ多数のアクチュエータ部２２が画素に対応してマトリクス状あるいは千鳥状に配列された駆動部２４を有して構成されている。
【００４１】
画素の配列構成は、例えば図３に示すように、垂直方向に並ぶ２つのアクチュエータ部２２にて１つのドット２６が構成され、水平方向に並ぶ３つのドット２６（赤色ドット２６Ｒ、緑色ドット２６Ｇ及び青色ドット２６Ｂ）で１つの画素２８が構成されている。更に、この表示ユニット１４においては、画素２８の並びを水平方向に１６個（４８ドット）、垂直方向に１６個（１６ドット）としている。
【００４２】
そして、このディスプレイ１０は、図１に示すように、例えばＶＧＡの規格に準拠すべく、水平方向に６４０画素（１９２０ドット）が並び、垂直方向に４８０画素（４８０ドット）が並ぶように、導光板１２の背面に、表示ユニット１４を水平方向に４０個、垂直方向に３０個配列させるようにしている。
【００４３】
導光板１２は、ガラス板やアクリル板等の可視光領域での光透過率が大であって均一なものが使用され、各表示ユニット１４間は、ワイヤボンディングや半田付け、端面コネクタ、裏面コネクタ等で接続することにより相互間の信号供給が行えるようになっている。
【００４４】
なお、前記導光板１２と各表示ユニット１４の光導波板２０は屈折率が類似したものが好ましく、導光板１２と光導波板２０とを貼り合わせる場合には、透明な接着剤を用いてもよい。この接着剤は、導光板１２や光導波板２０と同様に、可視光領域で均一で、高い透過率を有することが好ましく、また、屈折率も導光板１２や光導波板２０と近いものに設定することが画面の明るさを確保する上で望ましい。
【００４５】
ところで、各表示ユニット１４においては、図２に示すように、各アクチュエータ部２２上に、それぞれ画素構成体３０が積層されている。画素構成体３０は、光導波板２０との接触面積を大きくして画素に応じた面積にする機能を有する。
【００４６】
駆動部２４は、例えばセラミックスにて構成されたアクチュエータ基板３２を有し、該アクチュエータ基板３２の各画素２８に応じた位置にアクチュエータ部２２が配設されている。前記アクチュエータ基板３２は、一主面が光導波板２０の背面に対向するように配置されており、該一主面は連続した面（面一）とされている。アクチュエータ基板３２の内部には、各画素２８に対応した位置にそれぞれ後述する振動部を形成するための空所３４が設けられている。各空所３４は、アクチュエータ基板３２の他端面に設けられた径の小さい貫通孔３６を通じて外部と連通されている。
【００４７】
前記アクチュエータ基板３２のうち、空所３４の形成されている部分が薄肉とされ、それ以外の部分が厚肉とされている。薄肉の部分は、外部応力に対して振動を受けやすい構造となって振動部３８として機能し、空所３４以外の部分は厚肉とされて前記振動部３８を支持する固定部４０として機能するようになっている。
【００４８】
つまり、アクチュエータ基板３２は、最下層である基板層３２Ａと中間層であるスペーサ層３２Ｂと最上層である薄板層３２Ｃの積層体であって、スペーサ層３２Ｂのうち、アクチュエータ部２２に対応する箇所に空所３４が形成された一体構造体として把握することができる。基板層３２Ａは、補強用基板として機能するほか、配線用の基板としても機能するようになっている。なお、前記アクチュエータ基板３２は、一体焼成であっても、後付けであってもよい。
【００４９】
ここで、アクチュエータ部２２と画素構成体３０の具体例を図４〜図１３に基づいて説明する。なお、図４〜図１３の例では、後述する桟４２と光導波板２０との間にギャップ形成層４４を設けた場合を示す。
【００５０】
まず、アクチュエータ部２２は、図４に示すように、前記振動部３８と固定部４０のほか、該振動部３８上に直接形成された圧電／電歪層や反強誘電体層等の形状保持層４６と、該形状保持層４６の上面と下面に形成された一対の電極４８（ロウ電極４８ａ及びカラム電極４８ｂ）とを有する。
【００５１】
一対の電極４８は、図４に示すように、形状保持層４６に対して上下に形成した構造や片側だけに形成した構造でもよいし、形状保持層４６の上部のみに一対の電極４８を形成するようにしてもよい。
【００５２】
一対の電極４８を形状保持層４６の上部のみに形成する場合、一対の電極４８の平面形状としては、図５に示すように、多数のくし歯が相補的に対峙した形状としてもよく、その他、特開平１０−７８５４９号公報にも示されているように、渦巻き状や多枝形状などを採用することができる。
【００５３】
形状保持層４６の平面形状を例えば楕円形状とし、一対の電極４８をくし歯状に形成した場合は、図６Ａ及び図６Ｂに示すように、形状保持層４６の長軸に沿って一対の電極４８のくし歯が配列される形態や、図７Ａ及び図７Ｂに示すように、形状保持層４６の短軸に沿って一対の電極４８のくし歯が配列される形態などがある。
【００５４】
そして、図６Ａ及び図７Ａに示すように、一対の電極４８のくし歯の部分が形状保持層４６の平面形状内に含まれる形態や、図６Ｂ及び図７Ｂに示すように、一対の電極４８のくし歯の部分が形状保持層４８の平面形状からはみ出した形態などがある。図６Ｂ及び図７Ｂに示す形態の方がアクチュエータ部２２の屈曲変位において有利である。
【００５５】
ところで、図４に示すように、一対の電極４８として、形状保持層４６の上面に例えばロウ電極４８ａを形成し、形状保持層４６の下面にカラム電極４８ｂを形成した場合においては、図２に示すように、アクチュエータ部２２を空所３４側に凸となるように一方向に屈曲変位させることも可能であり、その他、図８に示すように、アクチュエータ部２２を光導波板２０側に凸となるように、他方向に屈曲変位させることも可能である。なお、図８に示す例は、ギャップ形成層４４（図４参照）を形成しない場合を示す。
【００５６】
一方、画素構成体３０は、例えば図４に示すように、アクチュエータ部２２上に形成された変位伝達部としての白色散乱体５０と色フィルタ５２と透明層５４の積層体で構成することができる。
【００５７】
更に、図９に示すように、白色散乱体５０の下層に光反射層５６を介在させるようにしてもよい。この場合、光反射層５６とアクチュエータ部２２間に絶縁層５８を形成することが望ましい。
【００５８】
画素構成体３０の他の例としては、例えば図１０に示すように、アクチュエータ部２２上に形成された変位伝達部を兼ねる有色散乱体６０と透明層５４の積層体で構成することもできる。この場合も図１１に示すように、アクチュエータ部２２と有色散乱体６０との間に光反射層５６と絶縁層５８を介在させるようにしてもよい。
【００５９】
また、この表示ユニット１４においては、図２、図４及び図８に示すように、光導波板２０とアクチュエータ基板３２との間において、画素構成体３０以外の部分に形成された桟４２を有して構成され、図８の例では、桟４２の上面に直接光導波板２０が固着された場合を示している。桟４２の材質は、熱、圧力に対して変形しないものが好ましい。
【００６０】
桟４２は、例えば画素構成体３０の四方に形成することができる。ここで、画素構成体３０の四方とは、図１２に示すように、例えば画素構成体３０が平面ほぼ矩形あるいは楕円であれば、各コーナー部に対応した位置などが挙げられ、１つの桟４２が隣接する画素構成体３０と共有される形態を示す。
【００６１】
桟４２の他の例としては、図１３に示すように、桟４２に少なくとも１つの画素構成体３０を囲む窓部４２ａを有するように構成してもよい。代表的な構成例としては、例えば、桟４２自体を板状に形成し、更に画素構成体３０に対応した位置に画素構成体３０の外形形状に類似した形状の窓部（開口）４２ａを形成する。これによって、画素構成体３０の側面全部が桟４２によって囲まれたかたちになり、アクチュエータ基板３２と光導波板２０との固着が更に強固なものとなる。
【００６２】
ここで、表示ユニット１４の各構成部材、特に各構成部材の材料等の選定について説明する。
【００６３】
まず、光導波板２０に入射される光１８としては、紫外域、可視域、赤外域のいずれでもよい。光源１６としては、白熱電球、重水素放電ランプ、蛍光ランプ、水銀ランプ、メタルハライドランプ、ハロゲンランプ、キセノンランプ、トリチウムランプ、発光ダイオード、レーザー、プラズマ光源、熱陰極管（又はそのフィラメント状熱陰極の代わりにカーボンナノチューブ−フィールドエミッタを配置したもの）、冷陰極管などが用いられる。
【００６４】
振動部３８は、高耐熱性材料であることが好ましい。その理由は、アクチュエータ部２２を有機接着剤等の耐熱性に劣る材料を用いずに、固定部４０によって直接振動部３８を支持させる構造とする場合、少なくとも形状保持層４６の形成時に、振動部３８が変質しないようにするため、振動部３８は、高耐熱性材料であることが好ましい。
【００６５】
また、振動部３８は、アクチュエータ基板２２上に形成される一対の電極４８におけるロウ電極４８ａに通じる配線とカラム電極４８ｂに通じる配線（例えばデータ線）との電気的な分離を行うために、電気絶縁材料であることが好ましい。
【００６６】
従って、振動部３８は、高耐熱性の金属あるいはその金属表面をガラス等のセラミック材料で被覆したホーロウ等の材料であってもよいが、セラミックスが最適である。
【００６７】
振動部３８を構成するセラミックスとしては、例えば安定化された酸化ジルコニウム、酸化アルミニウム、酸化マグネシウム、酸化チタン、スピネル、ムライト、窒化アルミニウム、窒化珪素、ガラス、これらの混合物等を用いることができる。安定化された酸化ジルコニウムは、振動部３８の厚みが薄くても機械的強度が高いこと、靭性が高いこと、形状保持層４６及び一対の電極４８との化学反応性が小さいこと等のため、特に好ましい。安定化された酸化ジルコニウムとは、安定化酸化ジルコニウム及び部分安定化酸化ジルコニウムを包含する。安定化された酸化ジルコニウムでは、立方晶等の結晶構造をとるため、相転移を起こさない。
【００６８】
一方、酸化ジルコニウムは、１０００℃前後で、単斜晶と正方晶とで相転移し、この相転移のときにクラックが発生する場合がある。安定化された酸化ジルコニウムは、酸化カルシウム、酸化マグネシウム、酸化イットリウム、酸化スカンジウム、酸化イッテルビウム、酸化セリウム又は希土類金属の酸化物等の安定化剤を、１〜３０モル％含有する。振動部２２の機械的強度を高めるために、安定化剤が酸化イットリウムを含有することが好ましい。このとき、酸化イットリウムは、好ましくは１．５〜６モル％含有し、更に好ましくは２〜４モル％含有することであり、更に０．１〜５モル％の酸化アルミニウムが含有されていることが好ましい。
【００６９】
また、結晶相は、立方晶＋単斜晶の混合相、正方晶＋単斜晶の混合相、立方晶＋正方晶＋単斜晶の混合相などであってもよいが、中でも主たる結晶相が、正方晶、又は正方晶＋立方晶の混合相としたものが、強度、靭性、耐久性の観点から最も好ましい。
【００７０】
振動部３８がセラミックスからなるとき、多数の結晶粒が振動部３８を構成するが、振動部３８の機械的強度を高めるため、結晶粒の平均粒径は、０．０５〜２μｍであることが好ましく、０．１〜１μｍであることが更に好ましい。
【００７１】
固定部４０は、セラミックスからなることが好ましいが、振動部３８の材料と同一のセラミックスでもよいし、異なっていてもよい。固定部４０を構成するセラミックスとしては、振動部３８の材料と同様に、例えば、安定化された酸化ジルコニウム、酸化アルミニウム、酸化マグネシウム、酸化チタン、スピネル、ムライト、窒化アルミニウム、窒化珪素、ガラス、これらの混合物等を用いることができる。
【００７２】
特に、この表示ユニット１４で用いられるアクチュエータ基板３２は、酸化ジルコニウムを主成分とする材料、酸化アルミニウムを主成分とする材料、又はこれらの混合物を主成分とする材料等が好適に採用される。その中でも、酸化ジルコニウムを主成分としたものが更に好ましい。
【００７３】
なお、焼結助剤として粘土等を加えることもあるが、酸化珪素、酸化ホウ素等のガラス化しやすいものが過剰に含まれないように、助剤成分を調節する必要がある。なぜなら、これらガラス化しやすい材料は、アクチュエータ基板３２と形状保持層４６とを接合させる上で有利ではあるものの、アクチュエータ基板３２と形状保持層４６との反応を促進し、所定の形状保持層４６の組成を維持することが困難となり、その結果、素子特性を低下させる原因となるからである。
【００７４】
即ち、アクチュエータ基板３２中の酸化珪素等は重量比で３％以下、更に好ましくは１％以下となるように制限することが好ましい。ここで、主成分とは、重量比で５０％以上の割合で存在する成分をいう。
【００７５】
形状保持層４６は、上述したように、圧電／電歪層や反強誘電体層等を用いることができるが、形状保持層４６として圧電／電歪層を用いる場合、該圧電／電歪層としては、例えば、ジルコン酸鉛、マグネシウムニオブ酸鉛、ニッケルニオブ酸鉛、亜鉛ニオブ酸鉛、マンガンニオブ酸鉛、マグネシウムタンタル酸鉛、ニッケルタンタル酸鉛、アンチモンスズ酸鉛、チタン酸鉛、チタン酸バリウム、マグネシウムタングステン酸鉛、コバルトニオブ酸鉛等、又はこれらの何れかの組合せを含有するセラミックスが挙げられる。
【００７６】
主成分がこれらの化合物を５０重量％以上含有するものであってもよいことはいうまでもない。また、前記セラミックスのうち、ジルコン酸鉛を含有するセラミックスは、形状保持層４６を構成する圧電／電歪層の構成材料として最も使用頻度が高い。
【００７７】
また、圧電／電歪層をセラミックスにて構成する場合、前記セラミックスに、更に、ランタン、カルシウム、ストロンチウム、モリブデン、タングステン、バリウム、ニオブ、亜鉛、ニッケル、マンガン等の酸化物、若しくはこれらの何れかの組合せ、又は他の化合物を、適宜、添加したセラミックスを用いてもよい。
【００７８】
例えば、マグネシウムニオブ酸鉛とジルコン酸鉛及びチタン酸鉛とからなる成分を主成分とし、更にランタンやストロンチウムを含有するセラミックスを用いることが好ましい。
【００７９】
圧電／電歪層は、緻密であっても、多孔質であってもよく、多孔質の場合、その気孔率は４０％以下であることが好ましい。
【００８０】
形状保持層４６として反強誘電体層を用いる場合、該反強誘電体層としては、ジルコン酸鉛を主成分とするもの、ジルコン酸鉛とスズ酸鉛とからなる成分を主成分とするもの、更にはジルコン酸鉛に酸化ランタンを添加したもの、ジルコン酸鉛とスズ酸鉛とからなる成分に対してジルコン酸鉛やニオブ酸鉛を添加したものが望ましい。
【００８１】
特に、下記の組成のようにジルコン酸鉛とスズ酸鉛からなる成分を含む反強誘電体膜をアクチュエータ部２２のような膜型素子として適用する場合、比較的低電圧で駆動することができるため、特に好ましい。
【００８２】
Ｐｂ０．９９Ｎｂ０．０２［（ＺｒｘＳｎ１−ｘ）１−ｙＴｉｙ］０．９８Ｏ３
但し、０．５　＜ｘ＜　０．６，０．０５＜ｙ＜　０．０６３，０．０１＜Ｎｂ＜　０．０３
また、この反強誘電体膜は、多孔質であってもよく、多孔質の場合には気孔率３０％以下であることが望ましい。
【００８３】
そして、振動部３８の上に形状保持層４６を形成する方法としては、スクリーン印刷法、ディッピング法、塗布法、電気泳動法等の各種厚膜形成法や、イオンビーム法、スパッタリング法、真空蒸着法、イオンプレーティング法、化学気相蒸着法（ＣＶＤ）、めっき等の各種薄膜形成法を用いることができる。
【００８４】
この実施の形態においては、振動部３８上に前記形状保持層４６を形成するにあたっては、スクリーン印刷法やディッピング法、塗布法、電気泳動法等による厚膜形成法が好適に採用される。
【００８５】
これらの手法は、平均粒径０．０１〜５μｍ、好ましくは０．０５〜３μｍの圧電セラミックスの粒子を主成分とするペーストやスラリー、又はサスペンション、エマルジョン、ゾル等を用いて形成することができ、良好な圧電作動特性が得られるからである。
【００８６】
特に、電気泳動法は、膜を高い密度で、かつ、高い形状精度で形成することができることをはじめ、「電気化学および工業物理化学　Ｖｏｌ．５３，Ｎｏ．１（１９８５），ｐ６３〜６８　安斎和夫著」あるいは「第１回電気泳動法によるセラミックスの高次成形法　研究討論会　予稿集（１９９８），ｐ５〜６，ｐ２３〜２４」等の技術文献に記載されるような特徴を有する。従って、要求精度や信頼性等を考慮して、適宜、手法を選択して用いるとよい。
【００８７】
また、前記振動部３８の厚みと形状保持層４６の厚みは、同次元の厚みであることが好ましい。なぜなら、振動部３８の厚みが極端に形状保持層４６の厚みより厚くなると（１桁以上異なると）、形状保持層４６の焼成収縮に対して、振動部３８がその収縮を妨げるように働くため、形状保持層４６とアクチュエータ基板２２界面での応力が大きくなり、はがれ易くなる。反対に、厚みの次元が同程度であれば、形状保持層４６の焼成収縮にアクチュエータ基板３２（振動部３８）が追従し易くなるため、一体化には好適である。具体的には、振動部３８の厚みは、１〜１００μｍであることが好ましく、３〜５０μｍが更に好ましく、５〜２０μｍが更になお好ましい。一方、形状保持層４６は、その厚みとして５〜１００μｍが好ましく、５〜５０μｍが更に好ましく、５〜３０μｍが更になお好ましい。
【００８８】
前記形状保持層４６の上面及び下面に形成されるロウ電極４８ａ及びカラム電極４８ｂ、あるいは形状保持層４６上に形成される一対の電極４８は、用途に応じて適宜な厚さとするが、０．０１〜５０μｍの厚さであることが好ましく、０．１〜５μｍが更に好ましい。また、前記ロウ電極４８ａ及びカラム電極４８ｂは、室温で固体であって、導電性の金属で構成されていることが好ましい。例えば、アルミニウム、チタン、クロム、鉄、コバルト、ニッケル、銅、亜鉛、ニオブ、モリブデン、ルテニウム、ロジウム、銀、スズ、タンタル、タングステン、イリジウム、白金、金、鉛等を含有する金属単体又は合金が挙げられる。これらの元素を任意の組合せで含有していてもよいことはいうまでもない。
【００８９】
光導波板２０は、その内部に導入された光１８が前面及び背面において光導波板２０の外部に透過せずに全反射するような光屈折率を有するものであり、導入される光１８の波長領域での透過率が均一で、かつ高いものであることが必要である。このような特性を具備するものであれば、特にその材質は制限されないが、具体的には、例えばガラス、石英、アクリル等の透光性プラスチック、透光性セラミックスなど、あるいは異なる屈折率を有する材料の複数層構造体、又は表面にコーティング層を設けたものなどが一般的なものとして挙げられる。
【００９０】
また、画素構成体３０に含まれる色フィルタ５２及び有色散乱体６０等の着色層とは、特定の波長領域の光だけを取り出すために用いられる層であり、例えば特定の波長の光を吸収、透過、反射、散乱させることで発色させるものや、入射した光を別の波長のものに変換させるものなどがある。透明体、半透明体及び不透明体を単独、もしくは組み合わせて用いることができる。
【００９１】
構成は、例えば染料、顔料、イオンなどの色素や蛍光体を、ゴム、有機樹脂、透光性セラミックス、ガラス、液体等の内部に分散、溶解したものや、それらの表面に塗布したもの、更には上述の色素や蛍光体等の粉末を焼結させたり、プレスして固めたものなどがある。材質及び構造については、これらを単独で用いてもよいし、これらを組み合わせて用いてもよい。
【００９２】
色フィルタ５２と有色散乱体６０との違いは、光１８を導入した光導波板２０に画素構成体３０を接触させて発光状態にしたときに、着色層のみでの反射、散乱による漏れ光の輝度値が、画素構成体３０及びアクチュエータ部２２を含めた全構成体の反射、散乱による漏れ光の輝度値の０．５倍以上であれば、その着色層は有色散乱体６０であると定義し、０．５倍未満であればその着色層は色フィルタ５２であると定義する。
【００９３】
測定法の具体例を挙げると、光１８が導入された光導波板２０の背面に、前記着色層単体を接触させたとき、該着色層から該光導波板２０を通過し、前面に漏れ出した光の正面輝度がＡ（ｎｔ）であり、また、該着色層の光導波板２０と接する反対側の面に更に画素構成体３０を接触させたとき、前面に漏れ出した光の正面輝度がＢ（ｎｔ）であったとすると、Ａ≧０．５×Ｂを満たすときは、前記着色層は有色散乱体６０であり、Ａ＜０．５×Ｂを満たすときは色フィルタ５２である。
【００９４】
上述の正面輝度とは、輝度を測定する輝度計と前記着色層とを結ぶ線が、前記光導波板２０の前記着色層と接する面に対して垂直であるように輝度計を配置（輝度計の検出面は光導波板２０の板面に平行）して計測した輝度である。
【００９５】
有色散乱体６０の利点は、層の厚みにより色調や輝度が変化しにくいことであり、そのための層形成法として、層厚の厳密な制御は難しいが、コストが安いスクリーン印刷など、多種の適用が可能である。
【００９６】
また、有色散乱体６０が変位伝達部を兼ねることにより、層形成プロセスを簡略化できるほか、それら全体の層厚を薄くできるため、表示ユニット１４全体の厚みを薄くすることが可能であり、また、アクチュエータ部２２の変位量低下の防止及び応答速度の向上が可能である。
【００９７】
色フィルタ５２の利点は、光導波板２０がフラットで表面平滑性が高いため、光導波板２０側に層を形成するときには、層形成が容易になり、プロセスの選択の幅が広がり、安価になるだけでなく、色調、輝度に影響を及ぼす層厚の制御が容易になる。
【００９８】
なお、色フィルタ５２や有色散乱体６０等の着色層の膜形成法としては、特に制限はなく、公知の各種の膜形成法を適用することができる。例えば光導波板２０やアクチュエータ部２２の面上に、チップ状、フィルム状の着色層を直接貼り付けるフィルム貼着法のほか、着色層の原材料となる粉末、ペースト、液体、気体、イオン等を、スクリーン印刷、フォトリソグラフィ法、スプレー・ディッピング、塗布等の厚膜形成手法や、イオンビーム、スパッタリング、真空蒸着、イオンプレーティング、ＣＶＤ、めっき等の薄膜形成手法により成膜し、着色層を形成する方法がある。
【００９９】
また、前記画素構成体３０としてその全部あるいは一部に発光層を設けるようにしてもよい。この発光層としては蛍光体層が挙げられる。この蛍光体層は、不可視光（紫外線や赤外線）によって励起され、可視光を発光するものや、可視光によって励起されて可視光を発光するものがあるが、いずれでもよい。
【０１００】
また、前記発光層として、蛍光顔料も用いることができる。この蛍光顔料を用いると、顔料自体の色、即ち、反射色にほぼ一致する波長の蛍光が加わるものは、それだけ色刺激が大きく、鮮やかに発光するため、表示素子やディスプレイの高輝度化に対してより好ましく用いられ、一般的な昼光蛍光顔料が好ましく用いられる。
【０１０１】
また、発光層として、輝尽性蛍光体や、燐光体、あるいは蓄光顔料も用いられる。これらの材料は、有機材料、無機材料のいずれでもよい。
【０１０２】
そして、上述した発光材料を単独で用いて発光層を形成したもの、これらの発光材料を樹脂に分散させたものを用いて発光層を形成したもの、あるいはこれらの発光材料を樹脂に溶解させたもので発光層を形成したものが好ましく用いられる。
【０１０３】
発光材料の残光時間としては、１秒以下が好ましく、より好ましくは３０ｍ秒がよい。更に好ましくは数ｍ秒以下がよい。
【０１０４】
そして、画素構成体３０の全部あるいはその一部として前記発光層を用いた場合は、光源１６として、前記発光層を励起する波長の光を含み、励起に十分なエネルギー密度を有していれば、特に制限はない。例えば、冷陰極管、熱陰極管（又はそのフィラメント状熱陰極の代わりにカーボンナノチューブ−フィールドエミッタを配置したもの）、メタルハライドランプ、キセノンランプ、赤外線レーザを含むレーザ、ブラックライト、ハロゲンランプ、白熱電球、重水素放電ランプ、蛍光ランプ、水銀ランプ、トリチウムランプ、発光ダイオード、プラズマ光源などが用いられる。
【０１０５】
次に、前記ディスプレイ１０の動作を図２を参照しながら簡単に説明する。この動作説明においては、図１４に示すように、各アクチュエータ部２２のロウ電極４８ａに印加されるオフセット電位として例えば１０Ｖを使用し、各アクチュエータ部２２のカラム電極４８ｂに印加されるオン信号及びオフ信号の電位としてそれぞれ０Ｖ及び６０Ｖを使用した例を示す。
【０１０６】
従って、カラム電極４８ｂにオン信号が印加されたアクチュエータ部２２においては、カラム電極４８ｂ及びロウ電極４８ａ間に低レベル電圧（−１０Ｖ）がかかり、カラム電極４８ｂにオフ信号が印加されたアクチュエータ部２２においては、カラム電極４８ｂ及びロウ電極４８ａ間に高レベル電圧（５０Ｖ）がかかることになる。
【０１０７】
そして、まず、光導波板２０の例えば端部から光１８が導入される。この場合、画素構成体３０が光導波板２０に接触していない状態で、光導波板２０の屈折率の大きさを調節することにより、全ての光１８が光導波板２０の前面及び背面において透過することなく内部で全反射させるようにする。光導波板２０の反射率ｎとしては、１．３〜１．８が望ましく、１．４〜１．７がより望ましい。
【０１０８】
この例においては、アクチュエータ部２２の自然状態において、画素構成体３０の端面が光導波板２０の背面に対して光１８の波長以下の距離で接触しているため、光１８は、画素構成体３０の表面で反射し、散乱光６２となる。この散乱光６２は、一部は再度光導波板２０の中で反射するが、散乱光６２の大部分は光導波板２０で反射されることなく、光導波板２０の前面（表面）を透過することになる。これによって、全てのアクチュエータ部２２がオン状態となり、そのオン状態が発光というかたちで具現され、しかも、その発光色は画素構成体３０に含まれる色フィルタ５２や有色散乱体６０あるいは上述した発光層の色に対応したものとなる。この場合、全てのアクチュエータ部２２がオン状態となっているため、ディスプレイ１０の画面からは白色が表示されることになる。
【０１０９】
この状態から、あるドット２６に対応するアクチュエータ部２２にオフ信号が印加されると、当該アクチュエータ部２２が図２に示すように、空所２０側に凸となるように屈曲変位、即ち、一方向に屈曲変位して、画素構成体３０の端面が光導波板２０から離間し、当該アクチュエータ部２２がオフ状態となり、そのオフ状態が消光というかたちで具現される。
【０１１０】
つまり、このディスプレイ１０は、画素構成体３０の光導波板２０への接触の有無により、光導波板２０の前面における光の発光（漏れ光）の有無を制御することができる。
【０１１１】
特に、このディスプレイ１０では、光導波板２０に対して画素構成体３０を接近・離隔方向に変位動作させる１つの単位を垂直方向に並べたものを１ドットとし、このドットが水平方向に３つ並んだもの（赤色ドット２６Ｒ、緑色ドット２６Ｇ及び青色ドット２６Ｂ）を１画素とし、この画素を多数マトリクス状、あるいは各行に関し千鳥状に配列するようにしているため、入力される画像信号の属性に応じて各画素での変位動作を制御することにより、陰極線管や液晶表示装置並びにプラズマディスプレイと同様に、光導波板２０の前面、即ち、表示面に画像信号に応じたカラー映像（文字や図形等）を表示させることができる。
【０１１２】
そして、このディスプレイ１０において、前記ロウ電極４８ａ及びカラム電極４８ｂに通じる配線は、図１５に示すように、多数のアクチュエータ部２２の行数に応じた本数の配線７０と、全アクチュエータ部２２の数に応じた本数のデータ線７２とを有する。配線７０は途中で共通配線７４とされる。
【０１１３】
また、このディスプレイ１０は、アクチュエータ部２２のカラム電極４８ｂとデータ線７２とが接続され、１行のアクチュエータ部２２に対して共通の配線７０が接続され、前記データ線７２はアクチュエータ基板３２の例えば背面側に形成されている。
【０１１４】
配線７０は、前列のアクチュエータ部２２に関するロウ電極４８ａから導出されて当該アクチュエータ部２２に関するロウ電極４８ａに接続されて、一つの行に関し、シリーズに配線された形となっている。また、カラム電極４８ｂとデータ線７２とはアクチュエータ基板３２に形成されたスルーホール７８を通じて電気的に接続される。
【０１１５】
なお、各配線７０と各データ線７２とが交差する部分には、互いの配線７０及び７２間の絶縁をとるためにシリコン酸化膜、ガラス膜、樹脂膜等からなる図示しない絶縁膜が介在されている。
【０１１６】
そして、第１の駆動装置２００Ａは、図１５に示すように、ディスプレイ１０の周辺に実装されたロウ電極駆動回路２０２と、カラム電極駆動回路２０４と、少なくともカラム電極駆動回路２０４を制御する信号処理回路２０６とを有して構成されている。
【０１１７】
ロウ電極駆動回路２０２は、共通配線７４及び各配線７０を介して全アクチュエータ部２２のロウ電極４８ａにオフセット電位（バイアス電位）を供給するように構成されており、１種類のオフセット用電源電圧が電源部２０８を通じて供給されている。
【０１１８】
カラム電極駆動回路２０４は、全ドット数に対応した数のドライバ出力２１０と、所定数のドライバ出力２１０が組み込まれた複数のドライバＩＣ２１０Ｂとを有して構成され、前記ディスプレイ１０の各データ線７２にパラレルにデータ信号を出力して、全ドットにそれぞれデータ信号を供給するように構成されている。
【０１１９】
各ドライバＩＣ２１０Ｂは、図１６に示すように、例えば２４０ビット構成のシフトレジスタ２１２を有し、該シフトレジスタ２１２の各ビットに対してそれぞれデータ転送部２３０とドライバ出力２１０が接続されて構成されている。シフトレジスタ２１２に供給される２４０ビットのデータ（ブロックデータＤｂ）の各ビットデータは、それぞれ対応するドットに供給するためのドットデータＤｄである。
【０１２０】
データ転送部２３０は、２つのシフトレジスタ（第１及び第２のシフトレジスタ２５０及び２５２）で構成することができる。
【０１２１】
第１のシフトレジスタ２５０は、一定のシフトクロックＰｃ１（＝Ｔ／６）に基づくビットシフト動作によってドットデータＤｄをシリーズに受け取り、６ビットのドットデータＤｄが受け取られた段階で該６ビットのドットデータＤｄをパラレルに出力する直列入力並列出力のシフトレジスタにて構成することができる。
【０１２２】
第２のシフトレジスタ２５２は、前記第１のシフトレジスタ２５０に格納されたドットデータＤｄをパラレルに受け取り、前記ドットデータＤｄのビット情報を前記サブフィールドＳＦ１〜ＳＦ６の時間的長さに応じたタイミング（Ｔ／２、Ｔ／４、・・・、Ｔ／６４）を有するシフトクロックＰｃ２に基づいて順次出力する並列入力直列出力のシフトレジスタで構成することができる。
【０１２３】
即ち、この第２のシフトレジスタ２５２においては、第１のシフトレジスタ２５０から転送された時点で、ＬＳＢに格納された０ビット目のビット情報がそのままカラム電極駆動回路２０４の対応するドライバ出力２１０に供給され、最初のシフトクロックＰｃ２（＝Ｔ／２）が経過した時点で、全体のビット情報が右側にビットシフトし、ＬＳＢに位置する１ビット目のビット情報がそのままドライバ出力２１０に供給されることになる。
【０１２４】
次いで、シフトクロックＰｃ２（＝Ｔ／４）が経過した時点で、全体のビット情報が右側にビットシフトし、ＬＳＢに位置する２ビット目のビット情報がそのままドライバ出力２１０に供給されることになる。同様に、シフトクロックＰｃ２がＴ／８、Ｔ／１６、Ｔ／３２及びＴ／６４というように順次経過するたびに、全体のビット情報がビットシフトし、ビットシフトするたびにＬＳＢに位置することになる３ビット目、４ビット目、５ビット目及び６ビット目のビット情報が順次ドライバ出力２１０に供給されることになる。
【０１２５】
そして、各ドライバ出力２１０には、２種類のデータ用電源電圧が同じく電源部２０８を通じて供給されている。
【０１２６】
カラム電極駆動回路２０４から全ドットに対してデータ線７２が接続されることから、データ線７２を引き回すための広い領域を確保する必要があり、しかも、データ線７２の配線長の増加に伴う配線容量及び配線抵抗による時定数の影響（信号の減衰等）を考慮する必要があるが、この例では、ディスプレイ１０を１２００個の表示ユニット１４に分割しているため、カラム電極駆動回路２０４からのデータ線７２の引き回しは、表示ユニット１４単位に考慮すればよく、広い配線形成のための領域を確保する必要はない。また、配線容量及び配線抵抗についても表示ユニット１４単位に考慮すればよいため、信号の減衰等は生じない。
【０１２７】
前記２種類のデータ用電源電圧は、後述するようにアクチュエータ部２２を下方に屈曲変位させるのに十分な高レベル電圧とアクチュエータ部２２を元の状態に復帰させるのに十分な低レベル電圧である。
【０１２８】
信号処理回路２０６は、少なくとも時間変調方式で階調制御すべく前記カラム電極駆動回路２０４を制御するように構成されている。
【０１２９】
ここで、時間変調方式による階調制御について、図１７及び図１８を参照しながら説明する。まず、１枚の画像の表示期間を１フレームとし、該１フレームを例えば６つに分割した際の１つの分割期間をサブフィールドとしたとき、最初のサブフィールド（第１サブフィールドＳＦ１）が最も長く、サブフィールドの経過毎に１／２の割合で短くなるように設定される。
【０１３０】
このサブフィールドの長さをデータ値の大きさで表した場合、図１７に示すように、第１サブフィールドＳＦ１の期間を例えば「６４」としたとき、第２サブフィールドＳＦ２は「３２」、第３サブフィールドＳＦ３は「１６」、第４サブフィールドＳＦ４は「８」、第５サブフィールドＳＦ５は「４」、第６サブフィールドＳＦ６は「２」として設定される。
【０１３１】
そして、信号処理回路２０６において、全ドットについて、それぞれの階調レベルに応じた表示時間を各サブフィールドＳＦ１〜ＳＦ６に割り当ててドットデータを作成し、これらドットデータをそれぞれデータ信号としてカラム電極駆動回路２０４を通じて各サブフィールドＳＦ１〜ＳＦ６の期間に出力する。
【０１３２】
ここで、１つのドットデータでみた場合、そのドットの階調レベルに応じた表示時間が各サブフィールドに割り当てられた時間幅に振り分けられるため、すべてのサブフィールドに振り分けられる場合やいくつかのサブフィールドに振り分けられる場合とがある。
【０１３３】
例えば、当該ドットの階調レベルが例えば１２６である場合、すべてのサブフィールドＳＦ１〜ＳＦ６が選択されることになり、ドットデータとしては、「００００００」のビット列となる。また、階調レベルが７８である場合は、第１、第４、第５及び第６サブフィールドＳＦ１、ＳＦ４、ＳＦ５及びＳＦ６が選ばれることになり、ドットデータとしては、「０１１０００」のビット列となる。
【０１３４】
データ信号は、ドットデータを構成するビット列の各ビット情報に応じて高レベル及び低レベルに変化するアナログ信号であり、ビット情報が論理的に「０」であれば、低レベル電圧（オン信号）とされ、ビット情報が論理的に「１」であれば、高レベル電圧（オフ信号）とされる。
【０１３５】
即ち、当該アクチュエータ部２２に対して出力されるデータ信号の出力形態としては、例えば選択されたサブフィールドについてはオン信号（低レベル電圧）が出力され、選択されないサブフィールドについてはオフ信号（高レベル電圧）が出力されるという形態となる。
【０１３６】
そして、前記信号処理回路２０６は、具体的には、図１８に示すように、動画出力機器２２０からの例えばプログレッシブ方式の動画信号Ｓｖ（例えばアナログ動画信号）と同期信号Ｓｓを入力して、フレーム単位にデジタルの画像データＤｖに変換し、画像メモリ２２２（フレームバッファ）に書き込む画像データ処理回路２２４と、ドット単位に設定された階調補正データＤｃが記録される補正データメモリ２２６と、画像メモリ２２２からの画像データＤｖと補正データメモリ２２６からの階調補正データＤｃを読み出し、これらを乗算して補正済画像データＤｈとする表示コントローラ２２８とを有して構成されている。
【０１３７】
動画出力機器２２０としては、例えば記録媒体に記録された動画あるいは通信（電波、ケーブル等を含む）によって送られてくる動画を受け取って出力するＶＴＲやパーソナルコンピュータ等が挙げられる。
【０１３８】
表示コントローラ２２８は、画像メモリ２２２から画像データＤｖを読み出す第１の読出し回路２３２と、補正データメモリ２２６からの階調補正データＤｃを読み出す第２の読出し回路２３４と、第１及び第２の読出し回路２３２及び２３４から読み出された画像データＤｖ及び階調補正データＤｃを乗算して補正済画像データＤｈとする乗算回路２３６と、該乗算回路２３６にて得られた補正済画像データＤｈを並列に出力する出力ポート２３８とを有する。
【０１３９】
ここで、この第１の駆動装置２００Ａにおけるデータ転送レートを考えると、１フレームの期間Ｔ内に１ドット当たり６ビットのデータを伝送する必要から、
４３Ｈｚ×６ｂｉｔ×（６４０×３×４８０）＝２３８Ｍｂｐｓ
となる。そして、カラム電極駆動回路２０４として動作クロックが例えば１ＭＨｚのＩＣを用いた場合は、２３８ＭＨｚ／１ＭＨｚ＝２３８並列の１ビット伝送が必要となる。
【０１４０】
従って、表示コントローラ２２８における出力ポートＯＰは、データ伝送のための出力端子を２３８個有し、乗算回路２３６から出力される補正済画像データＤｈをそれぞれ出力端子に対応させて並べ替えて、各出力端子からそれぞれブロックデータＤｂとして並列に出力するようになっている。この場合、各出力端子から並列にそれぞれ１ビット単位に転送されるレート（転送レート）は１ＭＨｚとなっている。
【０１４１】
第１の駆動装置２００Ａは、基本的には以上のように構成されるものであり、次にその作用効果について説明する。
【０１４２】
まず、画像データ処理回路２２４に動画出力機器２２０からの動画信号Ｓｖと同期信号Ｓｓが入力される。該画像データ処理回路２２４は、入力された動画信号Ｓｖを同期信号Ｓｓに基づいてフレーム単位にデジタルの画像データＤｖに変換し、画像メモリ２２２（フレームバッファ）に書き込む。
【０１４３】
表示コントローラ２２８は、画像メモリ２２２に書き込まれた画像データＤｖと補正データメモリ２２６からの階調補正データＤｃを読み出し、これらを乗算して補正済画像データＤｈ（１ドット単位に６ビットのドットデータが配列された画像データ）とする。
【０１４４】
補正済画像データＤｈは、出力ポートＯＰにおいて、それぞれ出力端子に対応させたデータ形態に並べ替えられた後、該出力ポートＯＰから２３８並列で１ビット／１ＭＨｚの転送レートで出力され、それぞれ対応するドライバＩＣ２１０Ｂに供給される。
【０１４５】
各ドライバＩＣ２１０Ｂでは、出力ポートＯＰから送られてくるブロックデータＤｂがシフトレジスタ２１２に供給され、該シフトレジスタ２１２に２４０個のビット列が揃った段階で、該ビット列がそれぞれ対応するデータ転送部２３０にドットデータＤｄとして並列に送られるようになっている。
【０１４６】
即ち、各データ転送部２３０は、シフトレジスタ２１２から送られてくるドットデータＤｄを一定のシフトクロックＰｃ１で読み込んで、各サブフィールドＳＦ１〜ＳＦ６の開始タイミング（Ｔ／２、Ｔ／４、・・・、Ｔ／６４）に応じたタイミングでドットデータＤｄを出力するという動作を行う。
【０１４７】
各データ転送部２３０から出力されたドットデータＤｄは、それぞれ対応するドライバ出力２１０に供給される。ドライバ出力２１０は、ドットデータＤｄに含まれるビット情報に基づいたデータ信号に変換してそれぞれ対応するドットにデータ線７２を通じて出力する。
【０１４８】
即ち、各ドットには、対応するドットデータＤｄに含まれるビット情報が、各サブフィールドＳＦ１〜ＳＦ６の開始タイミングに同期してインクリメントされながらデータ信号として供給されることになる。
【０１４９】
これによって、ディスプレイ１０の画面上には、画像データＤｖに応じたカラー映像が表示されることになる。
【０１５０】
このように、第１の駆動装置２００Ａにおいては、１つ以上のアクチュエータ部２２にて１つのドット２６が構成され、１つ以上のドット２６で１つの画素２８が構成される場合に、全アクチュエータ部２２に対してオフセット電位（バイアス電位）を印加するロウ電極駆動回路２０２と、画像データＤｖに基づいてドット毎にオン信号とオフ信号からなるデータ信号を出力するカラム電極駆動回路２０４と、ロウ電極駆動回路２０２及びカラム電極駆動回路２０４を制御する信号処理回路２０６とを具備し、該信号処理回路２０６において、少なくとも時間変調方式で階調制御すべくカラム電極駆動回路２０４を制御するようにしたので、ロウ電極駆動回路２０２に供給すべき電源電圧として１種類のオフセット用電源電圧で済む。これにより、ロウ電極駆動回路２０２のカスタムＩＣ化が容易になり、駆動装置２００Ａの設計、製作の自由度を大きくすることができ、低消費電力化も可能となる。
【０１５１】
更に、カラムドライバＩＣ（カラム電極駆動回路２０４）についても、ＩＣ自身に例えばＰＷＭ変調等の高機能を有するような高価なものを必要とせず、基本的にデータ入力シフトレジスタとレベルシフタを有するだけの多出力、低価格ＩＣを使用することができる。これらはベア・チップ、ＴＣＰ等の実装外形サイズを小型化する上でも有利であり、駆動ＩＣが実装される部分の省スペース化がしやすいことから、ディスプレイ１０の薄型化も容易になる。これは、ディスプレイ１０の製造コストの低廉化につながる。
【０１５２】
上述の例では、各アクチュエータ部２２のロウ電極４８ａに印加されるオフセット電位を１０Ｖにした場合を示したが、その他、図１９に示すように、前記オフセット電位を０Ｖにしてもよい。この場合、オフセット電位として接地電位を使用すればよいため、電源の数を１つ減らすことができる。
【０１５３】
また、その他の例としては、図２０に示すように、電圧印加の極性を逆にするようにしてもよい。例えばオフセット電位を＋５０Ｖとし、オン信号及びオフ信号の各電位を６０Ｖ及び０Ｖとすればよい。この場合、形状保持層４６の分極方向も逆になる。
【０１５４】
また、別の手法としては、形状保持層４６の予め行っておく分極方向を一方向にした状態で、例えば図１４に示す電圧印加のパターン（例えば正論理）と図２０に示す電圧印加のパターン（例えば負論理）を定期的あるいは一時的に切り換えるようにしてもよい。
【０１５５】
例えば正論理だけの電圧印加パターンを長時間繰り返していくと、アクチュエータ部２２における変位の低下をもたらすおそれがある。そこで、定期的あるいは一時的に負論理の電圧印加パターンを行うことで、前記アクチュエータ部２２における変位の低下を補償して安定した耐久性のある画素構成体３０のオン／オフを実現させることができる。
【０１５６】
電圧印加パターンの切換えは、例えばディスプレイ１０に対して画像を表示する実際の表示期間においては、正論理による電圧印加パターンで行い、ディスプレイ１０に対して画像を表示しない非表示期間においては、負論理による電圧印加パターンで行えばよい。
【０１５７】
次に、第２の駆動装置２００Ｂについて図２１〜図２７を参照しながら説明する。
【０１５８】
この第２の駆動装置２００Ｂは、信号処理回路２０６での時間変調方式による階調制御が一部異なり、図２１に示すように、１枚の画像の表示期間を１フレームとし、該１フレームを複数に等分割した際の１つの分割期間をリニアサブフィールドとしたとき、信号処理回路２０６は、各ドットについて、それぞれの階調レベルに応じた表示時間を必要なリニアサブフィールドに連続的に割り当ててドットデータを作成するようになっている。
【０１５９】
例えば、最大階調が６４階調であれば１フレームの期間に６３個のリニアサブフィールドＬＳＦ１〜ＬＳＦ６３が割り付けられ、ドットデータＤｄは、１つのリニアサブフィールド当たり１ビットのデータ構成となる。
【０１６０】
具体的には、あるドットの階調レベルが６２であれば、図２２Ａに示すように、０ビットと１ビットがそれぞれ「１」であり、残りの連続する２ビットから６３ビットにわたって「０」であるドットデータが作成され、階調レベルが８であれば、図２２Ｂに示すように、連続する０ビットから５５ビット目にわたって「１」であり、残りの連続する５６ビットから６３ビットにわたって「０」であるドットデータが作成されることになる。
【０１６１】
そして、この第２の駆動装置２００Ｂは、図２３に示すように、上述した第１の駆動装置２００Ａ（図１８参照）とほぼ同様の構成を有するが、信号処理回路２０６のデータ出力系の構成と、カラム電極駆動回路２０４における各ドライバＩＣ２１０Ｂの構成が以下のように異なる。
【０１６２】
即ち、信号処理回路２０６のデータ出力系、即ち、表示コントローラ２２８の後段にデータ転送部２３０が接続されている。そして、表示コントローラ２２８の乗算回路２３６は、第１及び第２の読出し回路２３２及び２３４から読み出された画像データＤｖ及び階調補正データＤｃを乗算して補正済画像データＤｈ（ドット単位に最大階調に応じたビット数のドットデータが配列された画像データ）とし、出力ポートＯＰを介してそのまま後段のデータ転送部２３０に出力する。
【０１６３】
ドライバＩＣ２１０Ｂは、図２４に示すように、例えば２４０ビット構成のシフトレジスタ２１２を有し、該シフトレジスタ２１２の各ビットに対してドライバ出力２１０が接続されて構成されている。
【０１６４】
ここで、この第２の駆動装置２００Ｂにおけるデータ転送レートを考えると、１／６４フレームの期間（Ｔ／６４）内に１ビットのデータを伝送する必要から、
（４３×６４Ｈｚ）×１ｂｉｔ×（６４０×３×４８０）＝２．５Ｇｂｐｓ
となる。そして、カラム電極駆動回路２０４として動作クロックが例えば１ＭＨｚのＩＣを用いた場合は、２．５ＧＨｚ／１ＭＨｚ＝２５００並列の１ビット伝送が必要となる。
【０１６５】
従って、前記データ転送部２３０としては、前記ドットデータＤｄを構成するビット情報を各リニアサブフィールドＬＳＦ１〜ＬＳＦ６４の開始タイミングに合わせて出力する回路構成が採用され、例えば図２５に示すように、１つの第１データ出力回路２７０と、該第１データ出力回路２７０の出力端子の数に応じた第２データ出力回路２７２を有して構成される。
【０１６６】
前記第１データ出力回路２７０は、全ドライバＩＣ２１０Ｂを複数にグループ分けし、ドライバＩＣ２１０Ｂ１個当たりの出力数（ドライバＩＣ２１０Ｂが出力するドット数）をｋ、１つのグループにおけるドライバＩＣ２１０Ｂの割当て数をｍ、最大階調に応じたビット数をｎとしたとき、１フレームの期間Ｔに、各出力端子に対し、ｋ×ｍ×ｎで構成されるデータ群が割り当てられ、各出力端子において、前記データ群を所定のタイミング毎にドット順次に出力するように構成されている。
【０１６７】
前記第２データ出力回路２７２は、前記ドライバＩＣ２１０Ｂの割当て数ｍに応じた出力端子を有し、前記第１データ出力回路２７０から供給されたデータを前記複数の出力端子を通じてパラレルに、割り当てられたドライバＩＣ２１０Ｂに出力するように構成されている。
【０１６８】
例えば、ドライバＩＣ２１０Ｂ１個当たりの出力数（ドライバＩＣ２１０Ｂが出力するドット数）を２４０とし、グループ毎に４０個のドライバＩＣ２１０Ｂを割り当て、第１データ出力回路２７０の出力端子の数を９６個とした場合、第１データ出力回路２７０の各出力端子φ１〜φ９６には、それぞれ４０個の出力端子φ１００〜φ１３９を有する第２データ出力回路２７２が接続されることになり、この場合、９６×４０＝３８４０個の並列出力が可能となる。
【０１６９】
そして、前記第１データ出力回路２７０は、図２６に示すように、表示コントローラ２２８から供給された補正済画像データＤｈを２４０×４０個＝９６００個のドットデータ毎に分割し、各出力端子φ１〜φ９６毎に、９６００個のドットデータＤｄを割り当てる。
【０１７０】
１つの出力端子（例えば出力端子φ１）をみた場合、図２７に示すように、９６００個のドットデータＤｄの同一ビット位置にあるビット情報をドット単位に並べてなる９６００ビットのビット列３００をドットデータＤｄの０〜６３ビットについて作成し、更に、これらビット列を０〜６３ビットの順番に並べてなるビット列データ３０２を作成する。
【０１７１】
そして、このビット列データ３０２をＴ／６４の時間内に２４０×４０＝９６００ビット（ビット列３００の長さ）だけ第１データ出力回路２７０の基準クロックに同期させてビットシフトさせながら出力端子φ１から出力する。基準クロックを例えば４０ＭＨｚとしたとき、９６００ビット構成のビット列３００を構成する４０ビット構成のビット列３００Ｂの転送周波数が１ＭＨｚとなり、カラム電極駆動回路２０４の転送周波数と同じにすることができる。従って、この第１データ出力回路２７０として、基準クロックが４０ＭＨｚ以上（例えば４４．９ＭＨｚ）のＩＣを使用することにより、時間的余裕をもってビット列３００を転送することができる。
【０１７２】
第２データ出力回路２７２は、４０ビット構成のビット列３００Ｂがラッチされる毎に４０個の出力端子φ１００〜φ１３９よりパラレルにカラム電極駆動回路２０４の対応する４０個のドライバＩＣ２１０Ｂに出力する。この一連の動作が２４０回繰り返されて、各ドライバＩＣ２１０Ｂのシフトレジスタ２１２に２４０ビット構成のビット列が格納される。
【０１７３】
シフトレジスタ２１２に格納されたビット列の各ビット情報はそれぞれドットデータＤｄとなる。この時点で、シフトレジスタ２１２から２４０個のドットデータＤｄがそれぞれ対応する２４０個のドライバ出力２１０に並列に出力される。ドライバ出力２１０は、ドットデータＤｄに含まれるビット情報に基づいたデータ信号に変換してそれぞれ対応するドットにデータ線７２を通じて出力する。
【０１７４】
上述の動作がすべてのドットに対して順次繰り返されることによって、ディスプレイ１０の画面上には、画像データに応じたカラー映像が表示されることになる。
【０１７５】
このように、第２の駆動装置２００Ｂにおいても、前記第１の駆動装置２００Ａと同様に、ロウ電極駆動回路２０２のカスタムＩＣ化が容易になり、駆動装置２００Ｂの設計、製作の自由度を大きくすることができ、低消費電力化も可能となる。
【０１７６】
更に、カラムドライバＩＣについても、ＩＣ自身に例えばＰＷＭ変調等の高機能を有するような高価なものを必要とせず、基本的にデータ入力シフトレジスタとレベルシフタを有するだけの多出力、低価格ＩＣを使用することができる。これらはベア・チップ、ＴＣＰ等の実装外形サイズを小型化する上でも有利であり、駆動ＩＣが実装される部分の省スペース化がしやすいことから、ディスプレイ１０の薄型化も容易になる。これは、ディスプレイ１０の製造コストの低廉化につながる。
【０１７７】
次に、第３の駆動装置２００Ｃについて図２８〜図３３を参照しながら説明する。
【０１７８】
この第３の駆動装置２００Ｃは、図２８に示すように、第１の駆動装置２００Ａと同様の構成を有するが、ロウ電極駆動回路２０２が、インターレース方式の画像信号に合わせて奇数行の画素と偶数行の画素を交番的に選択するように構成されている点と、カラム電極駆動回路２０４を構成するドライバ出力２１０の数が、全ドット数の１／２である点、即ち、ドライバＩＣ２１０Ｂの数が第１の駆動装置２００Ａにおける数の１／２である点で異なる。垂直方向に並ぶ２つのドットの駆動を１つのドライバ出力２１０が受け持つようになっている。
【０１７９】
第３の駆動装置２００Ｃの信号処理回路２０６での時間変調方式による階調制御は、図２９に示すように、１枚の画像の表示期間を１フレーム、該１フレームを２つに分離した期間を１フィールドとし、該１フィールドを例えば６つに分割した際の１つの分割期間をサブフィールドとしたとき、最初のサブフィールド（第１サブフィールドＳＦ１）が最も長く、サブフィールドの経過毎に１／２の割合で短くなるように設定される。
【０１８０】
そして、ロウ電極駆動回路２０２は、奇数行に対して共通に設けられた第１のドライバ２８０と、偶数行に対して共通に設けられた第２のドライバ２８２を有し、各ドライバ２８０及び２８２は、１フィールド毎に選択信号と非選択信号を交番的に出力するように構成されている。奇数行を選択する場合は、第１及び第２のドライバ２８０及び２８２からそれぞれ選択信号及び非選択信号が出力され、偶数行を選択する場合は、第１及び第２のドライバ２８０及び２８２からそれぞれ非選択信号及び選択信号が出力される。
【０１８１】
第１及び第２のドライバ２８０及び２８２での選択信号及び非選択信号の切換えは、図３０に示すように、信号処理回路２０６に設けられたタイミング発生回路２８４からの検出信号Ｓｊの入力に基づいて行われる。このタイミング発生回路２８４は、動画出力機器２２０から供給される同期信号Ｓｓに基づいてフィールド期間の開始タイミングを検出する回路である。
【０１８２】
また、カラム電極駆動回路２０４のドライバ出力２１０に対応して設けられるデータ転送部２３０としては、第１の駆動装置２００Ａにおけるデータ転送部２３０（図１６参照）を使用することができる。垂直方向に並ぶ２ドットに対して１つのドライバ出力２１０が割り当てられることから、データ転送部２３０から出力されるドットデータＤｄは２ドットに対するデータとなる。即ち、２ドット毎のドットデータＤｄとなる。
【０１８３】
また、この第３の駆動装置２００Ｃでは、図３１に示すように、ロウ電極駆動回路２０２の第１及び第２のドライバ２８０及び２８２から出力される選択信号として１０Ｖ、非選択信号として−５０Ｖを使用し、また、カラム電極駆動回路２０４の各ドライバ出力２１０を通じて出力されるオン信号として０Ｖ、オフ信号として６０Ｖを使用した例を示す。
【０１８４】
従って、ロウ電極４８ａに選択信号が印加され、カラム電極４８ｂにオン信号が印加されたアクチュエータ部２２においては、カラム電極４８ｂ及びロウ電極４８ａ間に低レベル電圧（−１０Ｖ）がかかることになり、当該アクチュエータ部２２は自然状態、つまり、発光状態となる。
【０１８５】
ロウ電極４８ａに選択信号が印加され、カラム電極４８ｂにオフ信号が印加されたアクチュエータ部２２においては、カラム電極４８ｂ及びロウ電極４８ａ間に高レベル電圧（５０Ｖ）がかかることになり、当該アクチュエータ部２２は一方向に屈曲変位し、消光状態となる。
【０１８６】
ロウ電極４８ａに非選択信号が印加されたアクチュエータ部２２においては、カラム電極４８ｂに印加されるオン信号又はオフ信号に拘わらず、カラム電極４８ｂ及びロウ電極４８ａ間に高レベル電圧（５０Ｖ又は１１０Ｖ）がかかることになり、当該アクチュエータ部２２は一方向に屈曲変位し、消光状態となる。
【０１８７】
第３の駆動装置２００Ｃは、基本的には以上のように構成されるものであり、次にその作用効果について説明する。
【０１８８】
まず、図３０に示すように、画像データ処理回路２２４に動画出力機器２２０からの例えばインターレース方式の動画信号Ｓｖ（例えばアナログ動画信号）と同期信号Ｓｓが入力され、タイミング発生回路２８４には、動画出力機器２２０からの同期信号Ｓｓが入力される。
【０１８９】
前記画像データ処理回路２２４は、入力された動画信号Ｓｖを同期信号Ｓｓに基づいてフィールド単位にデジタルの画像データＤｖに変換し、画像メモリ２２２（フィールドバッファ）に書き込む。タイミング発生回路２８４は、同期信号Ｓｓから１フィールド期間Ｔｆの開始タイミングを検出して検出信号Ｓｊとしてロウ電極駆動回路２０２に出力する。
【０１９０】
表示コントローラ２２８は、画像メモリ２２２からの画像データＤｖと補正データメモリ２２６からの階調補正データＤｃを読み出し、これらを乗算して補正済画像データＤｈ（２ドット単位に６ビットのドットデータが配列された画像データ）とする。
【０１９１】
補正済画像データＤｈは、出力ポートＯＰにおいて、それぞれ出力端子に対応させたデータ形態に並べ替えられた後、該出力ポートＯＰから２３８並列で１ビット／１ＭＨｚの転送レートで出力され、それぞれ対応するドライバＩＣ２１０Ｂに供給される。
【０１９２】
そして、各ドライバＩＣ２１０Ｂにおけるシフトレジスタ２１２において２４０個のビット列が揃った段階で、該ビット列がそれぞれ対応するデータ転送部２３０に並列に送られる。
【０１９３】
２ドット単位に設けられたデータ転送部２３０は、表示コントローラ２２８から送られてくるドットデータＤｄを一定クロック（Ｔｆ／６）で読み込んで、サブフィールドＳＦ１〜ＳＦ６の開始タイミングに応じたタイミングでドットデータＤｄを出力するという動作を行う。２ドット毎に出力されたドットデータＤｄはそれぞれ対応するドライバ出力２１０に供給される。
【０１９４】
一方、ロウ電極駆動回路２０２においては、タイミング発生回路２８４からの検出信号Ｓｊの入力に基づいて１フィールド毎に奇数行及び偶数行を交番的に選択する。
【０１９５】
そして、カラム電極駆動回路２０４は、ドットデータＤｄに含まれるビット情報に基づいたデータ信号に変換して、垂直方向に並ぶ２ドット単位にデータ線７２を通じて出力する。
【０１９６】
即ち、垂直方向に並ぶ２ドットには、対応するドットデータＤｄに含まれるビット情報が、サブフィールドＳＦ１〜ＳＦ６の開始タイミングに同期してインクリメントされながらデータ信号として供給されることになるが、垂直方向に並ぶ２ドットのうち、ロウ電極駆動回路２０２によって選択された行のドットに対して実質的にデータ信号が供給されることになる。次のフィールド期間では、前回非選択とされた行のドットに対して実質的にデータ信号が供給されることになる。
【０１９７】
上述の動作が順次繰り返されることで、ディスプレイ１０の画面上には、画像データＤｖに応じたカラー映像が表示されることになる。
【０１９８】
このように、第３の駆動装置２００Ｃにおいては、１つ以上のアクチュエータ部２２にて１つのドット２６が構成され、１つ以上のドット２６で１つの画素２８が構成される場合に、奇数行の画素と偶数行の画素を交番的に選択するロウ電極駆動回路２０２と、選択行の画素に対し、前記画像信号に基づいてドット毎に発光信号と消光信号からなるデータ信号を出力するカラム電極駆動回路２０４と、ロウ電極駆動回路２０２及びカラム電極駆動回路２０４を制御する信号処理回路２０６とを具備し、前記信号処理回路２０６において、少なくとも時間変調方式で階調制御すべく前記ロウ電極駆動回路２０２及びカラム電極駆動回路２０４を制御するようにしたので、ロウ電極駆動回路２０２に供給すべき電源電圧として２種類の電源電圧で済む。これにより、ロウ電極駆動回路２０２のカスタムＩＣ化が容易になり、駆動装置２００Ｃの設計、製作の自由度を大きくすることができ、低消費電力化も可能となる。
【０１９９】
更に、カラムドライバＩＣについても、ＩＣ自身に例えばＰＷＭ変調等の高機能を有するような高価なものを必要とせず、基本的にデータ入力シフトレジスタとレベルシフタを有するだけの多出力、低価格ＩＣを使用することができる。これらはベア・チップ、ＴＣＰ等の実装外形サイズを小型化する上でも有利であり、駆動ＩＣが実装される部分の省スペース化がしやすいことから、ディスプレイ１０の薄型化も容易になる。これは、ディスプレイ１０の製造コストの低廉化につながる。
【０２００】
上述の例では、ロウ電極駆動回路２０２の第１及び第２のドライバ２８０及び２８２から出力される選択信号として１０Ｖ、非選択信号として−５０Ｖを使用した場合を示したが、その他、図３２に示すように、選択信号を０Ｖとし、非選択信号を−６０Ｖとしてもよい。この場合、選択信号の電位として接地電位を使用すればよいため、電源の数を１つ減らすことができる。
【０２０１】
また、その他の例としては、図３３に示すように、電圧印加の極性を逆にするようにしてもよい。例えば選択信号として５０Ｖ、非選択信号として１１０Ｖを使用し、オン信号及びオフ信号の各電位を６０Ｖ及び０Ｖとすればよい。この場合、形状保持層４６の分極方向も逆になる。
【０２０２】
次に、第４の駆動装置２００Ｄについて図３４及び図３５を参照しながら説明する。
【０２０３】
この第４の駆動装置２００Ｄは、信号処理回路２０６での時間変調方式による階調制御が一部異なり、図３４に示すように、１枚の画像の表示期間を１フレーム、該１フレームを２つに分離した期間を１フィールドとし、該１フィールドを複数に等分割した際の１つの分割期間をリニアサブフィールドとしたとき、信号処理回路２０６は、各２ドットについて、それぞれの階調レベルに応じた表示時間を必要なリニアサブフィールドに連続的に割り当ててドットデータを作成するようになっている。
【０２０４】
この第４の駆動装置２００Ｄにおける信号処理回路は、図３５に示すように、第２の駆動装置２００Ｂの信号処理回路２０６（図２３参照）とほぼ同じ構成を有するが、動画出力機器２２０から供給される同期信号Ｓｓに基づいてフィールド期間の開始タイミングを検出するタイミング発生回路２８４を有する点で異なる。
【０２０５】
そして、表示コントローラ２２８の後段に接続されるデータ転送部としては、第２の駆動装置２００Ｂにおけるデータ転送部２３０を使用することができる。
【０２０６】
この第４の駆動装置２００Ｄにおいても、前記第２の駆動装置２００Ｂと同様に、ロウ電極駆動回路２０２のカスタムＩＣ化が容易になり、駆動装置２００Ｄの設計、製作の自由度を大きくすることができ、低消費電力化も可能となる。
【０２０７】
更に、カラムドライバＩＣについても、ＩＣ自身に例えばＰＷＭ変調等の高機能を有するような高価なものを必要とせず、基本的にデータ入力シフトレジスタとレベルシフタを有するだけの多出力、低価格ＩＣを使用することができる。これらはベア・チップ、ＴＣＰ等の実装外形サイズを小型化する上でも有利であり、駆動ＩＣが実装される部分の省スペース化がしやすいことから、ディスプレイ１０の薄型化も容易になる。これは、ディスプレイ１０の製造コストの低廉化につながる。
【０２０８】
上述の第３及び第４の駆動装置２００Ｃ、２００Ｄにおいては、ロウ電極駆動回路２０２において奇数行の画素と偶数行の画素を交番的に選択するようにしたが、その他、ロウ電極駆動回路２０２において３行以上の画素を順番に選択するようにしてもよい。
【０２０９】
次に、第５の駆動装置２００Ｅについて図３６〜図３９を参照しながら説明する。
【０２１０】
この第５の駆動装置２００Ｅが適用される表示素子における画素の配列構成は、例えば図３６に示すように、水平方向に並ぶ２つのアクチュエータ部２２にて１つのドット２６が構成され、垂直方向に並ぶ３つのドット２６（赤色ドット２６Ｒ、緑色ドット２６Ｇ及び青色ドット２６Ｂ）で１つの画素２８が構成されている。
【０２１１】
そして、第５の駆動装置２００Ｅの信号処理回路２０６での時間変調方式による階調制御は、図３７に示すように、１枚の画像の表示期間を１フレーム、該１フレームを３つに分離した期間を１フィールド（第１フィールド、第２フィールド及び第３フィールド）とし、該１フィールドを例えば６つに分割した際の１つの分割期間をサブフィールドとしたとき、最初のサブフィールド（第１サブフィールドＳＦ１）が最も長く、サブフィールドの経過毎に１／２の割合で短くなるように設定される。
【０２１２】
図３８に示すように、ロウ電極駆動回路２０２は、３ｎ−２行に対して共通に設けられた第１のドライバ５００と、３ｎ−１行に対して共通に設けられた第２のドライバ５０２と、３ｎ行に対して共通に設けられた第３のドライバ５０４とを有し、各ドライバ５００、５０２及び５０４は、１フィールド毎に選択信号と非選択信号を順番に出力するように構成されている。
【０２１３】
３ｎ−２行を選択する場合は、第１、第２及び第３のドライバ５００、５０２及び５０４からそれぞれ選択信号、非選択信号及び非選択信号が出力され、３ｎ−１行を選択する場合は、第１、第２及び第３のドライバ５００、５０２及び５０４からそれぞれ非選択信号、選択信号及び非選択信号が出力され、３ｎ行を選択する場合は、第１、第２及び第３のドライバ５００、５０２及び５０４からそれぞれ非選択信号、非選択信号及び選択信号が出力される。
【０２１４】
第１、第２及び第３のドライバ５００、５０２及び５０４での選択信号及び非選択信号の切換えは、図３９に示すように、信号処理回路２０６に設けられたタイミング発生回路５０６からの検出信号Ｓｋの入力に基づいて行われる。即ち、ロウ電極駆動回路２０２は、タイミング発生回路５０６からの同期信号Ｓｓに合わせて、３ｎ−２行のドットと３ｎ−１行のドットと３ｎ行のドット（ｎ＝１、２、・・・）をそれぞれ順番に選択する。
【０２１５】
このタイミング発生回路５０６は、動画出力機器２２０から供給される同期信号Ｓｓに基づいて１フレーム期間を３分割したタイミングの検出信号Ｓｋを生成して出力する。
【０２１６】
信号処理回路２０６の画像データ処理回路２２４は、動画出力機器２２０からの例えばプログレッシブ方式の動画信号Ｓｖ（例えばアナログ動画信号）とタイミング発生回路５０６からの検出信号Ｓｋが入力されて、例えば３原色（赤、緑及び青）単位にデジタルの画像データＤｖに変換し、それぞれ赤用画像メモリ２２２Ｒ、緑用画像メモリ２２２Ｇ及び青用画像メモリ２２２Ｂに書き込むように構成されている。
【０２１７】
第１の読出し回路２３２は、タイミング発生回路５０６からの検出信号Ｓｋの入力に基づいて３種類の画像メモリ２２２Ｒ、２２２Ｇ及び２２２Ｂから順次画像データＤｖを読み出すように構成されている。
【０２１８】
光源１６は、タイミング発生回路５０６からの検出信号Ｓｋの入力に基づいて３種類の光（例えば赤色光、緑色光及び青色光）を順次切り換えて出射するように構成されている。
【０２１９】
また、カラム電極駆動回路２０４は、ドライバ出力２１０の数が、全ドット数の１／３であって、ドライバＩＣ２１０Ｂの数が第１の駆動装置２００Ａにおける数の１／３となっており、垂直方向に並ぶ３つのドットの駆動を１つのドライバ出力２１０が受け持つようになっている。
【０２２０】
カラム電極駆動回路２０４のドライバ出力２１０に対応して設けられるデータ転送部としては、第１の駆動装置２００Ａにおけるデータ転送部２３０（図１６参照）を使用することができる。垂直方向に並ぶ３ドットに対して１つのドライバ出力２１０が割り当てられることから、データ転送部２３０から出力されるドットデータＤｄは３ドットに対するデータとなる。即ち、３ドット毎のドットデータＤｄとなる。
【０２２１】
また、この第５の駆動装置２００Ｅでは、例えば図３１に示すように、ロウ電極駆動回路２０２の第１、第２及び第３のドライバ５００、５０２及び５０４から出力される選択信号として１０Ｖ、非選択信号として−５０Ｖを使用し、また、カラム電極駆動回路２０４の各ドライバ出力２１０から出力されるオン信号として０Ｖ、オフ信号として６０Ｖを使用することができる。
【０２２２】
第５の駆動装置２００Ｅは、基本的には以上のように構成されるものであり、次にその作用効果について説明する。
【０２２３】
まず、図３９に示すように、画像データ処理回路２２４に動画出力機器２２０からの例えばプログレッシブ方式の動画信号Ｓｖ（例えばアナログ動画信号）と同期信号Ｓｓが入力され、タイミング発生回路５０６には、動画出力機器２２０からの同期信号Ｓｓが入力される。タイミング発生回路５０６は、入力される同期信号Ｓｓに基づいて１フレーム期間を３分割したタイミングの検出信号Ｓｋを生成して出力する。
【０２２４】
前記画像データ処理回路２２４は、入力された動画信号Ｓｖをタイミング発生回路５０６からの検出信号Ｓｋに基づいて、３原色（赤、緑及び青）単位にデジタルの画像データＤｖに変換し、それぞれ赤用画像メモリ２２２Ｒ、緑用画像メモリ２２２Ｇ及び青用画像メモリ２２２Ｂに書き込む。
【０２２５】
表示コントローラ２２８は、各画像メモリ２２２Ｒ、２２２Ｇ及び２２２Ｂからの画像データＤｖと補正データメモリ２２６からの階調補正データＤｃを読み出し、これらを乗算して補正済画像データＤｈ（３ドット単位に６ビットのドットデータが配列された画像データ）とする。
【０２２６】
補正済画像データＤｈは、出力ポートＯＰにおいて、それぞれ出力端子に対応させたデータ形態に並べ替えられた後、該出力ポートＯＰから２３８並列で１ビット／１ＭＨｚの転送レートで出力され、それぞれ対応するドライバＩＣに供給される。
【０２２７】
そして、各ドライバＩＣ２１０Ｂにおけるシフトレジスタ２１２において２４０個のビット列が揃った段階で、該ビット列がそれぞれ対応するデータ転送部２３０に並列に送られる。
【０２２８】
３ドット単位に設けられたデータ転送部２３０は、シフトレジスタ２１２から送られてくるドットデータＤｄを一定クロック（Ｔｆ／６）で読み込んで、サブフィールドＳＦ１〜ＳＦ６の開始タイミングに応じたタイミングでドットデータＤｄを出力するという動作を行う。３ドット毎に出力されたドットデータＤｄはそれぞれ対応するドライバ出力２１０に供給される。
【０２２９】
一方、ロウ電極駆動回路２０２においては、タイミング発生回路５０６からの検出信号Ｓｋの入力に基づいて１フィールド毎に３ｎ−２行、３ｎ−１行及び３ｎ行を順番に選択する。このとき、光源１６からはタイミング発生回路５０６からの検出信号Ｓｋの入力に基づいて１フィールド毎に赤色光、緑色光及び青色光が順番に出射される。
【０２３０】
そして、カラム電極駆動回路２０４は、ドットデータＤｄに含まれるビット情報に基づいたデータ信号に変換して、垂直方向に並ぶ３ドット単位にデータ線７２を通じて出力する。
【０２３１】
即ち、垂直方向に並ぶ３ドットには、対応するドットデータＤｄに含まれるビット情報が、サブフィールドＳＦ１〜ＳＦ６の開始タイミングに同期してインクリメントされながらデータ信号として供給されることになるが、垂直方向に並ぶ３ドットのうち、第１フィールドの期間（例えば赤色光が出射されている期間）においては、ロウ電極駆動回路２０２によって選択された３ｎ−２行（赤色に関する行）のドットに対して実質的にデータ信号が供給されることになる。次の第２フィールドの期間（例えば緑色光が出射されている期間）では、前回非選択とされた３ｎ−１行（緑色に関する行）のドットに対して実質的にデータ信号が供給され、次の第３フィールドの期間（例えば青色光が出射されている期間）では、前回非選択とされた３ｎ行（青色に関する行）のドットに対して実質的にデータ信号が供給されることになる。
【０２３２】
上述の動作が順次繰り返されることで、ディスプレイ１０の画面上には、画像データＤｖに応じたカラー映像が表示されることになる。
【０２３３】
このように、第５の駆動装置２００Ｅにおいては、１つ以上のアクチュエータ部２２にて１つのドット２６が構成され、１つ以上のドット２６で１つの画素２８が構成される場合に、３ｎ−２行の画素、３ｎ−１行の画素及び３ｎ行の画素（ｎ＝１、２、・・・）を順番に選択するロウ電極駆動回路２０２と、選択行の画素に対し、前記画像信号に基づいてドット毎に発光信号と消光信号からなるデータ信号を出力するカラム電極駆動回路２０４と、ロウ電極駆動回路２０２及びカラム電極駆動回路２０４を制御する信号処理回路２０６とを具備し、前記信号処理回路２０６において、少なくとも時間変調方式で階調制御すべく前記ロウ電極駆動回路２０２及びカラム電極駆動回路２０４を制御するようにしたので、ロウ電極駆動回路２０２に供給すべき電源電圧として２種類の電源電圧で済む。これにより、ロウ電極駆動回路２０２のカスタムＩＣ化が容易になり、駆動装置２００Ｅの設計、製作の自由度を大きくすることができ、低消費電力化も可能となる。
【０２３４】
更に、カラムドライバＩＣ（カラム電極駆動回路２０４）についても、ＩＣ自身に例えばＰＷＭ変調等の高機能を有するような高価なものを必要とせず、基本的にデータ入力シフトレジスタとレベルシフタを有するだけの多出力、低価格ＩＣを使用することができる。これらはベア・チップ、ＴＣＰ等の実装外形サイズを小型化する上でも有利であり、駆動ＩＣが実装される部分の省スペース化がしやすいことから、ディスプレイ１０の薄型化も容易になる。これは、ディスプレイ１０の製造コストの低廉化につながる。
【０２３５】
特に、この第５の駆動装置２００Ｅにおいては、光源１６から３原色の光を出射するようにしているため、白色光源を使用した場合と比して、ブランク輝度（画素発光部以外の光導波板の欠陥等による発光輝度）が１／３となり、コントラストの向上を図ることができる。
【０２３６】
また、光源１６から例えば赤色光が出射されている場合に、赤色に関するドットを発光させるようにしているため、色純度が向上し、画質の改善を有効に図ることができる。
【０２３７】
次に、第６の駆動装置２００Ｆについて図４０及び図４１を参照しながら説明する。
【０２３８】
この第６の駆動装置２００Ｆは、信号処理回路２０６での時間変調方式による階調制御が一部異なり、図４０に示すように、１枚の画像の表示期間を１フレーム、該１フレームを３つに分離した期間を１フィールドとし、該１フィールドを複数に等分割した際の１つの分割期間をリニアサブフィールドとしたとき、信号処理回路２０６は、各３ドットについて、それぞれの階調レベルに応じた表示時間を必要なリニアサブフィールドに連続的に割り当ててドットデータを作成するようになっている。
【０２３９】
この第６の駆動装置２００Ｆにおける信号処理回路は、図４１に示すように、第４の駆動装置２００Ｄの信号処理回路２０６（図３５参照）とほぼ同じ構成を有するが、動画出力機器２２０から供給される同期信号Ｓｓに基づいてフィールド期間の開始タイミングに応じた検出信号Ｓｋを出力するタイミング発生回路５０６を有する点で異なる。
【０２４０】
そして、表示コントローラ２２８の後段に接続されるデータ転送部としては、第２の駆動装置２００Ｂにおけるデータ転送部２３０を使用することができる。
【０２４１】
この第６の駆動装置２００Ｆにおいても、前記第２の駆動装置２００Ｂと同様に、ロウ電極駆動回路２０２のカスタムＩＣ化が容易になり、駆動装置２００Ｆの設計、製作の自由度を大きくすることができ、低消費電力化も可能となる。
【０２４２】
更に、カラムドライバＩＣ（カラム電極駆動回路２０４）についても、ＩＣ自身に例えばＰＷＭ変調等の高機能を有するような高価なものを必要とせず、基本的にデータ入力シフトレジスタとレベルシフタを有するだけの多出力、低価格ＩＣを使用することができる。これらはベア・チップ、ＴＣＰ等の実装外形サイズを小型化する上でも有利であり、駆動ＩＣが実装される部分の省スペース化がしやすいことから、ディスプレイ１０の薄型化も容易になる。
【０２４３】
第１〜第６の駆動装置２００Ａ〜２００Ｆが適用されるディスプレイ１０あるいは表示ユニット１４においては、例えば図２に示すように、アクチュエータ部２２の自然状態において発光とし、アクチュエータ部２２のロウ電極４８ａとカラム電極４８ｂ間に高レベル電圧を印加したときにアクチュエータ部２２を空所３４側に凸となるように屈曲変位させて消光させるようにしたが、その他、光導波板２０の背面に画素構成体３０を接触・離隔することにより、アクチュエータ部２２をオン動作／オフ動作させる際に、形状保持層４６に電圧を印加して発生する歪みに加えて、光導波板２０の背面と画素構成体３０の接触面（端面）との間に静電気を発生させ、この静電気による引力、斥力をアクチュエータ部２２のオン動作／オフ動作に利用するようにしてもよい。
【０２４４】
結果として、アクチュエータ部２２の駆動中に、誘電分極を発生させて静電気による引力を利用してアクチュエータ部２２のオン特性（画素構成体３０の接触性や接触方向への応答性等）の向上を図る構成や、静電気による引力のみならず、斥力も利用することにより、アクチュエータ部２２のオン特性以外にオフ特性（画素構成体３０の離隔性や離隔方向への応答性等）の向上をも図ることができる。
【０２４５】
例えば、アクチュエータ部２２のオン特性のみの向上を図る場合は、単に画素構成体３０の接触面（端面）及び光導波板２０自体又は光導波板２０の背面にコーティング材を配して、これらを誘電分極させればよい。
【０２４６】
更に、例えばアクチュエータ部２２のオン特性とオフ特性の両方を向上させる場合は、誘電分極された画素構成体３０の接触面に対して、静電気による引力、斥力のいずれも発生するように、光導波板２０の背面に透明電極や金属薄膜を配してその電気極性を切り換えればよい。
【０２４７】
具体的に、前記構成について図４２Ａ〜図４３Ｂを参照しながら説明する。アクチュエータ部２２の自然状態において発光とし、例えば図４に示すように、形状保持層４６の上面にロウ電極４８ａ、下面にカラム電極４８ｂが形成された図４２Ａ及び図４２Ｂに示す表示ユニット１４において、光導波板２０の背面のうち、アクチュエータ部２２に対応した位置にそれぞれ透明電極２９０を形成する。
【０２４８】
そして、アクチュエータ部２２をオン動作させて発光させる場合は、図４２Ａに示すように、当該アクチュエータ部２２に対応する透明電極２９０とロウ電極４８ａとの間に電圧（Ｖｃ＞Ｖａ）を印加し、ロウ電極４８ａとカラム電極４８ｂとの間の電圧をほぼゼロとしておく（Ｖａ≒Ｖｂ）。
【０２４９】
これにより、透明電極２９０とロウ電極４８ａとの間に働く静電引力で画素構成体３０は光導波板２０側に押し付けられる。この押圧力により、輝度の向上、応答速度の向上が図られる。
【０２５０】
一方、アクチュエータ部２２をオフ動作させて消光させる場合は、図４２Ｂに示すように、当該アクチュエータ部２２に対応する透明電極２９０とロウ電極４８ａとの間の電圧をほぼゼロにしておき（Ｖｃ≒Ｖａ）、ロウ電極４８ａとカラム電極４８ｂとの間に電圧（Ｖａ＜Ｖｂ）を印加する。
【０２５１】
これにより、アクチュエータ部２２は空所３４側に凸となるように屈曲変位し、画素構成体３０は光導波板２０から離隔することになる。
【０２５２】
ところで、前記透明電極２９０を、光導波板２０の背面や、画素構成体３０の端面のいずれに形成してもよいが、画素構成体３０の端面に形成する方が好ましい。これは、アクチュエータ部２２上のロウ電極４８ａとの距離が小さくなり、より大きな静電力を発生させることができるからである。
【０２５３】
また、光導波板２０の背面に形成された透明電極２９０は、画素構成体３０の離隔性を向上させる効果がある。一般に、画素構成体３０の接触、離隔によって画素構成体３０や光導波板２０に生ずる局所的な表面電荷を生ずるが、これは、画素構成体３０が光導波板２０に接触するのを助ける。しかし、この場合、画素構成体３０が光導波板２０に貼り付いてしまうという不都合が生じやすくなる。
【０２５４】
そこで、光導波板２０の背面に透明電極２９０を形成することで、局所的な表面電荷の発生を緩和し、前記不都合（貼り付き）が低減され、画素構成体３０の離隔性が向上する。
【０２５５】
前記透明電極２９０を形成して静電気を利用する構成は、図４３Ａ及び図４３Ｂに示すような表示ユニット１４、即ち、形状保持層４６の上面に一対の電極（ロウ電極４８ａとカラム電極４８ｂ）を形成した表示ユニット１４にも適用することができる。
【０２５６】
つまり、光導波板２０の背面に透明電極２９０を形成し、この透明電極２９０とアクチュエータ部２２の上面に設けられた一対の電極４８ａ及び４８ｂとの間に電圧（Ｖｃ＞Ｖａ、Ｖｃ＞Ｖｂ）を印加すると、両者の間に静電気が発生する。
【０２５７】
ここで、アクチュエータ部２２の自然状態において消光の場合を考えたとき、当該アクチュエータ部２２をオン動作させて発光させる場合、一対の電極４８ａ及び４８ｂ間の電圧（Ｖａ＜Ｖｂ＜Ｖｃ）によってアクチュエータ部２２が光導波板２０に向かって屈曲変位すると共に、前記静電気の引力によって、画素構成体３０が光導波板２０側に急速に接近し、発光状態となる。反対に、透明電極２９０と一対の電極４８ａ及び４８ｂとの間に電圧を印加しない状態（Ｖａ≒Ｖｂ≒Ｖｃ）では、アクチュエータ部２２がオフ動作し、アクチュエータ部２２の剛性によって光導波板２０から離隔し、消光状態となる。
【０２５８】
このような静電気を利用した表示ユニット１４を多数配列させて構成されたディスプレイ１０に対しても、第１〜第６の駆動装置２００Ａ〜２００Ｆを適用させることができる。
【０２５９】
上述の第１〜第６の駆動装置２００Ａ〜２００Ｆが適用されるディスプレイ１０においては、アクチュエータ部２２の構成、特に、形状保持層４６を１層構造としたが、その他、図４４に示すように、形状保持層４６を多層構造とし、各層に一対の電極４８ａ及び４８ｂを互い違いに形成するようにしてもよい。図４４の例では、１層目の形状保持層４６ａの下面と２層目の形状保持層４６ｂの上面にカラム電極４８ｂを形成し、１層目と２層目の間にロウ電極４８ａを形成した例を示す。このように、形状保持層４６を多層にして一対の電極４８ａ及び４８ｂを互い違いに形成することにより、アクチュエータ部２２のパワー（変位力）を向上させることができ、画素構成体３０（図２参照）の離隔性を向上させることができる。
【０２６０】
ところで、上述の第１〜第６の駆動装置２００Ａ〜２００Ｆにおいては、補正データメモリ２２６に格納する補正のための情報として、図４５に示すように、少なくともドット毎の輝度ばらつきを補正するための輝度補正データが展開された輝度補正テーブル６００を用いるようにしてもよい。この場合、補正データメモリ２２６に展開された輝度補正テーブル６００と第２の読出し回路２３４が輝度補正手段６０２として機能することになる。
【０２６１】
ここで、輝度補正機能を持ったディスプレイ１０の製造過程、特に、輝度補正テーブル６００の作成過程について図４６〜図５５を参照しながら説明する。
【０２６２】
この輝度補正テーブルの作成過程は、まず、図４６のステップＳ１において、前記ディスプレイ１０に一様の画像を表示し、全ドット２６の輝度を検出する。具体的には、ディスプレイ１０の全ドット２６に対して例えばグレースケールの中間レベル（フルスケールとして２５６の階調レベルとしたとき、例えば１２８の階調レベル）の信号を与えて表示させ、この状態で例えばＣＣＤカメラで全ドット２６の各輝度を測定して、このディスプレイ１０の実測輝度分布を求める。
【０２６３】
その後、ステップＳ２において、各ドット２６の輝度目標値を算出し、次いで、ステップＳ３において、各ドット２６の輝度目標値に基づいて各ドット２６についての輝度補正係数を算出する。具体的には、測定した各ドット２６の輝度実測値に基づいて、前記実測輝度分布の平滑化処理を行い、理論輝度分布（輝度目標値の分布）を求める。平滑化処理としては、例えば平均化処理、最小自乗法、高次曲線近似等が挙げられる。
【０２６４】
なお、図４７及び図４８に、例えば１行目の各ドットの輝度分布を示す。これらの図において、×で示すプロットが実測輝度分布であり、●で示すプロットが理論輝度分布を示す。
【０２６５】
図４７に示すように、実測輝度分布における各ドットの輝度実測値のばらつきが小さく、平滑化処理によって滑らかな理論輝度分布（曲線Ｂ（破線）参照）となる場合は、すべてのドットについて輝度補正を行う。
【０２６６】
輝度補正の具体的手法について説明すると、図４７のドット＃１、＃３、＃４、＃６等に示すように、輝度実測値が輝度理論値よりも大きい場合は、補正係数として１未満の値を用い、
輝度実測値×補正係数≒輝度理論値
となる補正係数を当該ドットの輝度補正データとして輝度補正テーブル６００に登録する。
【０２６７】
一方、図４７のドット＃２、＃５、＃７等に示すように、輝度実測値が輝度理論値よりも小さい場合は、補正係数として１を用い、該補正係数を当該ドットの輝度補正データとして輝度補正テーブル６００に登録する。この結果、×をプロットした実測輝度分布よりも均一化された輝度分布（曲線Ａ（実線）参照）が得られる。
【０２６８】
完成したディスプレイ１０によっては、図４８に示すように、局部的に輝度実測値が低い場合がある。図４８では、ドット＃３と＃７が極端に低くなっており、そのまま平滑化処理しても、曲線Ｃ（一点鎖線）に示すように、理論輝度分布が滑らかにならないだけでなく、平均輝度を不要に低下させてしまう場合がある。
【０２６９】
このような場合は、輝度実測値が極端に低いドットを無視して平滑化処理を行うことにより、曲線Ｄ（破線）に示すように、滑らかな曲線を有する理論輝度分布を求める。輝度補正の具体的手法は上述と同様である。
【０２７０】
このように、前記輝度補正手段６０２を用いることにより、製造上の各ドットの輝度ばらつきが吸収され、画質の向上を図ることができる。
【０２７１】
前記輝度補正手段６０２としては、上述の手法のほか、いわゆる移動平均化を採用するようにしてもよい。この移動平均化は、図４９Ａ及び図４９Ｂに示すように、１つのドット２６（中央のドット２６）とその周辺に配列された複数のドット２６の各輝度値を平均し、該平均値を中央のドット２６の輝度目標値とし、該中央のドット２６の実測輝度値と輝度目標値に基づいて、中央のドット２６の輝度補正係数を求めていく方法である。
【０２７２】
例えば、図５０に示すように、横軸ｘに実測輝度値（補正前の輝度値：入力輝度）、縦軸ｙに目標輝度値（補正後の輝度値：出力輝度）をとったとき、実測輝度値がＬｊ、輝度目標値がＬｃの場合、輝度補正係数として、直線ｙ＝（Ｌｃ／Ｌｊ）ｘ上の値が選ばれることになる。なお、図５０において、Ｌｉｍは最大入力階調を示し、Ｌｏｍは最大出力階調を示す。
【０２７３】
中央のドット２６の周辺に配列された複数のドット２６は、垂直方向に並ぶ２ｍ＋１行分のドット群に含まれ、かつ、水平方向に並ぶ２ｎ＋１列分のドット群に含まれるようにしてもよい。図４９Ａでは、２ｍ＋１行×２ｎ＋１列にて構成される領域Ｚ１内に配列された複数のドット２６を選択した例を示し、図４９Ｂでは、２ｍ＋１行×２ｎ＋１列にて構成される領域に収まるほぼ円形の領域Ｚ２内に配列された複数のドット２６を選択した例を示す。
【０２７４】
また、１つの表示ユニット１４について、垂直方向にＭ個のドット２６が配列され、水平方向にＮ個のドット２６が配列され、合計でＭ×Ｎ個のドット２６を有する場合に、前記ｍ及びｎは、α及びβをそれぞれ１以上の変数としたとき、
（１／２）Ｍ≦２ｍ＋１≦αＭ
（１／２）Ｎ≦２ｎ＋１≦βＮ
とする。
【０２７５】
ここで、αとβの決め方について説明する。まず、α及びβを大きくすると、平均化のための範囲が広がるため、輝度目標値が当該ドット２６の実力（発光能力）と大きく異なってくる場合がある。その結果、輝度補正係数の上限を超えてしまうドット２６が多く現れてしまうことがある。そこで、α及びβは、輝度補正係数が上限値を超えるドット２６の数が所定数以下となるように設定する。例えば、α及びβは、５以下、特に３以下が好ましい。
【０２７６】
このようにすれば、表示ユニット１４内の輝度分布のばらつきを抑制しつつ、継ぎ目も目立たなくでき、しかも、表示ユニット１４の個々の輝度を生かすことができ、明るく発光させることができる表示ユニット１４を必要以上に輝度低下させることのないようにすることができる。
【０２７７】
また、全てのドット２６について輝度目標値を算出した後の処理としては、例えばボトムアップ法やトップダウン法がある。ボトムアップ法は、図５１に示すように、まず、ステップＳ１０１において、算出された全輝度目標値のうち、最小値を示すドットを検索する。その後、ステップＳ１０２において、前記検索されたドットについて、現在の輝度目標値を一定値だけ向上させて新たな輝度目標値とする。
【０２７８】
このボトムアップ法によれば、表示ユニット１４間において画像が不連続になるという不都合が解消され（連続面の維持）、しかも、表示ユニット１４の表示能力を最大まで引き出すことができる。
【０２７９】
一方、トップダウン法は、図５２に示すように、まず、ステップＳ２０１において、算出された全輝度目標値のうち、予め設定しておいたしきい値を超えるドット２６を検索する。その後、ステップＳ２０２において、前記検索されたドット２６について、現在の輝度目標値をしきい値まで低減させる。
【０２８０】
このトップダウン法においても、表示ユニット１４間において画像が不連続になるという不都合を解消することができる。
【０２８１】
上述の輝度補正係数の算出に当たっては、色温度を加味して行うことが好ましい。具体的には、図５３に示すように、まず、ステップＳ３０１において、前記算出された各ドット２６の輝度目標値（便宜的にｆｒとする）について、それぞれ配色に応じた規格化を行う。この規格化は、各配色のレベルを揃えるために行うもので、輝度目標値ｆｒに規格化係数Ｋｒの逆数１／Ｋｒを乗算することにより行われる。これによって規格化後の値（規格化値）ｇｒが求まる。
【０２８２】
その後、ステップＳ３０２において、規格化値ｇｒが一定範囲に入るように修正を加えて、修正規格化値ｄｇｒを得る。その後、ステップＳ３０３において、それぞれ配色に応じた復元処理を行って色温度が加味された新たな輝度目標値ｄｆｒを得る。例えば、以下のような演算を行う。
【０２８３】
ｄｆｒ＝ｈ・Ｋｒ・ｄｇｒ
ここで、ｈは色温度調節定数であり、例えば赤みがかった画像にしたいとき、赤についてｈ＝１．０とし、赤以外の配色についてｈ＝０．９とする。これによって、赤に対応するドットが強調されることになる。
【０２８４】
上述の輝度補正係数は、図５４に示すように、横軸ｘに入力階調、縦軸ｙに出力階調をとったとき、直線Ａに示すように、原点を通る直線ｙ＝Ｄｘ上の値が選ばれるようになっている。従って、例えば輝度補正係数に修正を加える場合は、その傾きＤを変更することが考えられる。図５４において、変更後の直線を破線Ｂで示す。
【０２８５】
具体的な演算としては、入力階調を最大で１２８階調としたとき、
出力ｙ＝（補正値／１２８）×入力ｘ
となる。
【０２８６】
しかし、本実施の形態では、輝度補正係数に対する修正として、図５５に示すように、原点を必ずしも通らない直線（破線Ｃ参照）への変更も可能である。即ち、輝度補正係数として直線ｙ＝Ｅｘ±Ｆ上の値を選ぶことができる。これを実現させるためには、例えば入力階調の最大幅を６４階調まで低減させ、あまったビット数に切片データ（直線ｙ＝Ｅｘ±ＦにおけるＦ）を割り当てれば、メモリ容量の増大を回避することができる。
【０２８７】
この場合、具体的な演算としては、入力階調を最大で６４階調としたとき、
出力ｙ＝（補正値▲１▼／６４）×入力ｘ±補正値▲２▼
となる。
【０２８８】
この補正方式を採用することで、−補正値▲２▼とした場合においては、ある階調から点灯しはじめるドット２６に対して適切な輝度補正を行うことができ、＋補正値▲２▼とした場合においては、低階調領域で階調表現が難しいドット２６に対して適切な輝度補正を行うことができる。
【０２８９】
また、上述の輝度補正係数の算出においては、表示ユニット１４に配列された多数のドット２６のうち、継ぎ目近傍のドット２６（周辺部分のドット２６）の輝度が中央部分のドット２６の輝度よりも高くするような値に設定することが好ましい。これにより、表示ユニット１４間の継ぎ目を目立たなくすることができる。
【０２９０】
ところで、多数の表示ユニット１４を配列してディスプレイ１０を構成する場合は、ある規則性をもって配列することが好ましい。その配列決定方法について図５６〜図６０Ｂを参照しながら説明する。
【０２９１】
この配列決定方法は、図５６に示すように、まず、ステップＳ４０１において、各表示ユニット１４についてそれぞれ特性値を得る。特性値としては、表示ユニット１４を構成する複数のドット２６の平均輝度と、ドット２６の欠損数が挙げられる。例えば、表示ユニット１４内の数点のドット２６について、輝度を測定し、その平均値を取得し、該平均値を平均輝度とする。
【０２９２】
その後、ステップＳ４０２において、前記得られた特性値に基づいて表示ユニット１４をランク分けする。ランク分けは、例えば図５７Ａに示すように、平均輝度が１０００以上、又は、欠損数が１以下の場合にＡランク、平均輝度が９００以上、１０００未満、又は、欠損数が２以上、５以下の場合にＢランク、平均輝度が９００未満、又は、欠損数が６以上の場合にＣランクとする。
【０２９３】
更に、これら表示ユニット１４について、得られたランク（個別ランク）に基づいて平均輝度を優先させて見た場合の総合ランクにランク分けする。例えば、図５７Ｂに示すように、総合ランクＡは、平均輝度によるランクがＡランクであって、かつ、欠損数によるランクがＡランクのものが選ばれ、総合ランクＢは、平均輝度によるランクがＡランクであって、かつ、欠損数によるランクがＢランクのものが選ばれる。同様に、総合ランクＣは、平均輝度によるランクがＢランクであって、かつ、欠損数によるランクがＡランクのものが選ばれ、総合ランクＤは、平均輝度によるランクがＢランクであって、かつ、欠損数によるランクがＢランクのものが選ばれる。
【０２９４】
その後、図５６のステップＳ４０３において、ディスプレイ１０における複数の表示ユニット１４の配列領域を区分して、各領域に配列すべき表示ユニット１４のランクを指定し、次いで、ステップＳ４０４において、前記指定に従って表示ユニット１４を配列してディスプレイ１０を作製する。
【０２９５】
一例として、図５８Ａ及び図５８Ｂに示すように、ディスプレイ１０（１０Ａ及び１０Ｂ）における表示ユニット１４の配列領域Ｚ１０を中央部分Ｚ１１と周辺部分Ｚ１２に区分し、中央部分Ｚ１１に欠損数によるランクの高い表示ユニット１４を配列し、周辺部分Ｚ１２に欠損数によるランクの低い表示ユニット１４を配列する。
【０２９６】
例えば、１台目のディスプレイ１０Ａについては、中央部分Ｚ１１に総合ランクＡの表示ユニット１４を配列し、周辺部分Ｚ１２に総合ランクＢの表示ユニット１４を配列する。２台目のディスプレイ１０Ｂについては、中央部分Ｚ１１に総合ランクＣの表示ユニット１４を配列し、周辺部分Ｚ１２に総合ランクＤの表示ユニット１４を配列する。
【０２９７】
１台目のディスプレイ１０Ａは、平均輝度のランクがＡランクである表示ユニット１４で統一しており、２台目のディスプレイ１０Ｂは、平均輝度のランクがＢランクである表示ユニット１４で統一している。そのため、各ディスプレイ１０Ａ及び１０Ｂにおいては、輝度分布のばらつきが抑えられ、画質の向上を図ることができると共に、表示ユニット１４の継ぎ目が目立たないものとなる。
【０２９８】
そして、例えば中央部分Ｚ１１に表示ユニット１４を配列していく場合においては、例えば図５９Ａに示すように、中央から渦巻き状に配列したり、図５９Ｂに示すように、十文字順に配列することが好ましい。図５９Ａ及び図５９Ｂにおいて、連番は、総合ランクで順序付けられた番号であり、表示ユニット１４の配列の順番を示す番号である。一方、周辺部分Ｚ１２に表示ユニット１４を配列していく場合においては、図６０Ａに示すように、１つの辺から順番に並べていく方法や、図６０Ｂに示すように、十文字順に配列することが好ましい。
【０２９９】
このように、ランク分けされた表示ユニット１４を、指定された領域に配列する際に、同一ランク内において順序付けされた表示ユニット１４を所定の規則に従って配列することにより、ディスプレイ１０全体としてみたとき、滑らかな輝度分布にすることができる。
【０３００】
特に、表示ユニット１４の配列領域Ｚ１０を中央部分Ｚ１１と周辺部分Ｚ１２に区分し、中央部分Ｚ１１にランクの高い表示ユニット１４を配列し、周辺部分Ｚ１２にランクの低い表示ユニット１４を配列するという手法は、周辺が暗くても人の目では気づきにくいという特性を利用したもので、人の目に対する違和感をなくす上で有効となる。
【０３０１】
なお、上述した特性値は、前記平均輝度及び欠損数のほかにも、表示ユニット１４内でのドットの輝度等のばらつきなども利用することができる。また、領域区分も中央部分Ｚ１１と周辺部分Ｚ１２の２つに分けるほか、様々な区分が考えられる。
【０３０２】
また、上述の第１〜第６の駆動装置２００Ａ〜２００Ｆにおいては、補正データメモリ２２６に格納する補正のための情報として、図６１に示すように、各ドットの階調レベルに対する表示特性を線形的にするための線形補正データが展開された線形補正テーブル６１０を用いるようにしてもよい。この場合、補正データメモリ２２６に展開された線形補正テーブル６１０と第２の読出し回路２３４が線形補正手段６１２として機能することになる。
【０３０３】
ここで、線形補正機能について図６２Ａ〜図６２Ｃを参照しながら説明する。まず、線形補正テーブル６１０の作成を行うが、上述の輝度補正の場合と同様に、その前提としてディスプレイ１０の各ドットの輝度を測定する。
【０３０４】
具体的には、ディスプレイ１０の全ドットに対して例えばグレースケールを段階的に増加させた信号を与えて表示させ、この状態で例えばＣＣＤカメラを用いて、全ドットについてグレースケールの階調レベルの変化に対する輝度の変化特性（発光輝度特性）を測定する。各ドットに対するプロット数は、補正データメモリ２２６の容量や演算速度に応じて決定される。図６２Ａに、ある１つのドットについての発光輝度特性を示す。
【０３０５】
その後、測定した各ドットの発光輝度特性に基づいて、各ドットについて、それぞれ発光輝度特性を線形化するための重み係数を求める。図６２Ｂに、ある１つのドットの発光輝度特性に対応する重み係数の変化特性を示す。
【０３０６】
各ドットについての重み係数は上述の発光輝度特性を求める際にプロットした分だけ求められ、これらプロット数に応じた数分の重み係数の配列が当該ドットに関する線形化のためのルックアップテーブルとして定義される。そして、このようなルックアップテーブルが各ドットについて求められ、線形補正テーブル６１０として補正データメモリ２２６に登録される。なお、プロット間の重み係数は表示段階において例えば一次近似（折れ線近似）等で求めるようにしてもよい。
【０３０７】
そして、実際の表示段階においては、第１の読出し回路２３２を通じてあるドットの入力階調レベルが読み出され、第２の読出し回路２３４を通じて、当該ドットに関するルックアップテーブルから読み出された前記入力階調レベルに対応する重み係数あるいは一次近似で求められた重み係数が読み出され、後段の乗算回路２３６において、入力階調データ値×重み係数が計算され、線形化階調データとして出力されることになる（図６２Ｃ参照）。
【０３０８】
このように、前記線形補正手段６１２を用いることにより、各ドットにおいて、階調レベルの変化に応じて表示特性が線形的に変化することになるため、正確な画像表示が可能になるだけでなく、コントラストの向上を図ることができ、表示画像に鮮鋭感を持たせることができる。
【０３０９】
ところで、ディスプレイ１０を通じてテレビ信号の映像を表示する場合は、以下のような線形補正処理が行われる。即ち、例えば現行のカラーテレビ方式では、受像機のコスト低減を図るために送像（送出）側でガンマ補正を行うようにしている。このガンマ補正はあくまでもブラウン管を対象としたものであるため、図６３Ａに示すような発光輝度特性となる。そのため、ガンマ補正がかけられたテレビ信号の映像をディスプレイ１０を通じてそのまま表示すると、画像の高彩度部分の解像度が低下し、鮮鋭感が失われるという問題が生じる。
【０３１０】
そこで、本実施の形態では、図６３Ｂに示すように、ガンマ補正を打ち消すような重み係数の配列を各ドットに関する線形化のためのルックアップテーブルとして定義するようにしてもよい。
【０３１１】
これにより、図６３Ｃに示すように、送出系（送像系）における階調レベルに対する表示特性（ガンマ補正がかけられた表示特性）を線形的に補正することができるため、ガンマ補正されたテレビ信号を表示する場合であっても画像の高彩度部分の解像度が低下するということがなくなり、表示画像に鮮鋭感を持たせることが可能となる。
【０３１２】
また、第１〜第６の駆動装置２００Ａ〜２００Ｆにおいては、図６４に示すように、１フレーム内の任意のタイミングにおいて光源１６のパワーを少なくとも２段階で切り換える調光制御手段６４０を有するようにしてもよい。
【０３１３】
この調光制御手段６４０による光源１６のパワーの切換えは、信号処理回路２０６に設けられたタイミング発生回路２８４からの検出信号Ｓｍの入力に基づいて光源駆動回路６４２で行うようにしてもよい。このタイミング発生回路２８４は、動画出力機器２２０から供給される同期信号Ｓｓに基づいて光源１６のパワーの切換えタイミングを検出する。
【０３１４】
例えば、第２の駆動装置２００Ｂに基づいて説明すると、該第２の駆動装置２００Ｂにおいては、図２１に示すように、１枚の画像の表示期間を１フレームとし、該１フレームを例えば６３個に等分割した際の１つの分割期間をリニアサブフィールドとしたとき、信号処理回路２０６は、各ドットについて、それぞれの階調レベルに応じた表示時間を必要なリニアサブフィールドに連続的に割り当ててドットデータを作成するようになっている。
【０３１５】
そこで、この例では、図６５Ａに示すように、６３個のリニアサブフィールドの後ろに３つのリニアサブフィールドを加え、第１のリニアサブフィールドＬＳＦ１から第６３のリニアサブフィールドＬＳＦ６３までの期間については光源１６のパワーを１００％とし、後ろの第６４のリニアサブフィールドＬＳＦ６４から第６６のリニアサブフィールドＬＳＦ６６までの期間については光源１６のパワーを２５％とする。
【０３１６】
これにより、各リニアサブフィールドの表示期間がすべて同じであっても、第１のリニアサブフィールドＬＳＦ１から第６３のリニアサブフィールドＬＳＦ６３までの各リニアサブフィールドは、第６４のリニアサブフィールドＬＳＦ６４から第６６のリニアサブフィールドＬＳＦ６６までの各リニアサブフィールドの４倍の輝度を有することになる。
【０３１７】
従って、図６５Ｂに示すように、階調レベル１を表現する場合は、第６４のリニアサブフィールドＬＳＦ６４にオン信号が出力され、階調レベル２を表現する場合は、第６４及び第６５のリニアサブフィールドＬＳＦ６４及びＬＳＦ６５に連続してオン信号が出力されることになる。また、階調４を表現する場合は、第６３のリニアサブフィールドＬＳＦ６３にオン信号が出力され、階調レベル５を表現する場合は、第６３及び第６４のリニアサブフィールドＬＳＦ６３及びＬＳＦ６４にオン信号が連続して出力されることになる。また、階調レベル１４を表現する場合は、第６１〜第６５のリニアサブフィールドＬＳＦ６１〜ＬＳＦ６５にオン信号が連続して出力されることになる。
【０３１８】
つまり、この例では、３つのリニアサブフィールドＬＳＦ６４〜ＬＳＦ６６を加えただけで、いままで６４階調だけしか表現できなかったものが、２５６階調（０〜２５５）まで表現することが可能となる。また、３つのリニアサブフィールドＬＳＦ６４〜ＬＳＦ６６を加えるだけであるため、１フレームが６４個のリニアサブフィールドで構成されたものに対して、１リニアサブフィールドの表示期間をほとんど変更する必要がなく、設計変更の問題はほとんどない。また、光源１６のパワーが２５％となっている期間が１フレームの３／６６という短い期間であるため、白表示を行ったときの輝度低下はほとんどない。
【０３１９】
上述の例では、６３個のリニアサブフィールドＬＳＦ１〜ＬＳＦ６３の後ろに３つのリニアサブフィールドＬＳＦ６４〜ＬＳＦ６６を加えて、光源１６のパワーを１００％と２５％で切り換えるようにしたが、その他、図６６Ａに示すように、６３個のリニアサブフィールドＬＳＦ１〜ＬＳＦ６３のうち、前半の３２個のリニアサブフィールドＬＳＦ１〜ＬＳＦ３２について光源１６のパワーを１００％とし、後半の３１個のリニアサブフィールドＬＳＦ３３〜ＬＳＦ６３について光源１６のパワーを５０％としてもよい。
【０３２０】
この場合は、各リニアサブフィールドの表示期間がすべて同じであっても、前半の第１〜第３２のリニアサブフィールドＬＳＦ１〜ＬＳＦ３２における各リニアサブフィールドは、後半の第３３〜第６３のリニアサブフィールドＬＳＦ３３〜ＬＳＦ６３における各リニアサブフィールドの２倍の輝度を有することになる。
【０３２１】
従って、図６６Ｂに示すように、階調レベル１を表現する場合は、第３３のリニアサブフィールドＬＳＦ３３にオン信号が出力され、階調レベル２を表現する場合は、第３２のリニアサブフィールドＬＳＦ３２にオン信号が出力されることになり、階調３を表現する場合は、第３２及び第３３のリニアサブフィールドＬＳＦ３２及びＬＳＦ３３にオン信号が連続して出力され、階調５を表現する場合は、第３１〜第３３のリニアサブフィールドＬＳＦ３１〜ＬＳＦ３３にオン信号が連続して出力されることになる。
【０３２２】
つまり、この例では、いままで６４階調だけしか表現できなかったものが、９６階調（０〜９５）まで表現することが可能となる。また、６３個のリニアサブフィールドＬＳＦ１〜ＬＳＦ６３に対してすべて光源１６のパワーを１００％とした場合は、低レベルの階調表現をする場合でも光源１６のパワーが１００％であるのに比して、この例では、光源１６のパワーが５０％の期間が任意のタイミングで入ってくるため、低消費電力を実現することができる。
【０３２３】
また、この例においては、画像メモリ２２２に蓄積された次のフレームの画像の平均輝度を解析して、その平均輝度が高い画像であれば、該次のフレームは光源１６のパワーを１００％に固定して６３個のリニアサブフィールドＬＳＦ１〜ＬＳＦ６３による階調表現を行うようにしてもよい。この場合、全体的に輝度が低下して見えるということを防ぐことができる。
【０３２４】
なお、光源１６としては、応答特性の優れた高速冷陰極管（立ち上がり速度０．１ｍｓ以内）やＬＥＤ（立ち上がり速度２０ｎｓ以内）又はカーボンナノチューブ−フィールドエミッタを陰極に配置した蛍光管を用いることができる。
【０３２５】
次に、第１〜第６の駆動装置２００Ａ〜２００Ｆにおいて、以下に示すような駆動方法を取り入れるようにしてもよい。
【０３２６】
まず、例えば第２の駆動装置２００Ｂでの通常の駆動について説明すると、図６７Ａに示すように、１つのドットについて見た場合に、該ドットの階調レベルに応じてオフ信号を出力すべき期間とオン信号を出力すべき期間が決定される。
【０３２７】
そして、オフ信号を出力すべき期間においては、図６７Ａに示すように、カラム電極４８ｂに例えば０Ｖ、図６７Ｂに示すように、ロウ電極４８ａに例えば５５Ｖ（固定）がそれぞれ印加され、図６７Ｃに示すように、当該ドットにはその電位差である５５Ｖが印加されて、結果的に消光状態となる。そして、オン信号を出力すべき期間に差し掛かった時点で、図６７Ａに示すように、カラム電極４８ｂに例えば最大６０Ｖ、図６７Ｂに示すように、ロウ電極４８ａに例えば５５Ｖ（固定）がそれぞれ印加され、図６７Ｃに示すように、当該ドットにはその電位差である−５Ｖが印加されて、発光状態となる。
【０３２８】
この通常の動作では、ドット毎に１フレームの開始時点から階調表現が行われるため、フレームの開始時点で画素構成体３０を光導波板２０から十分に離隔させる必要があるが、画素構成体３０の離隔時の応答が遅いことに起因して、もしくは経時的に画素構成体３０の離隔性が損なわれていき、画素構成体３０の離隔時の応答が遅くなり、最悪の場合は、画素構成体３０が光導波板２０にくっついたまま離隔しないことが生じる可能性がある。
【０３２９】
図６８Ａ及び図６８Ｂに、前記通常動作でのドット２６の発光特性を測定した実験結果を示す。この実験は、あるドット２６への印加電圧Ｖｃの波形（図６８Ａ参照）を計測しながら、当該ドット２６から散乱される光の強度変化（Ｌｄ）をアバランシェ・フォト・ダイオード（ＡＰＤ）で測定したものである。図６８Ｂから、この発光特性は１フレームの開始時点からゆっくりとオフ状態に向かっており、１フレーム内でのオフ応答が遅いことがわかる。
【０３３０】
これを防止するために、ロウ電極４８ａに印加すべき電圧を例えば１００Ｖにした場合、オン信号の出力期間において発光状態を実現させるためには、オン信号の期間においてカラム電極４８ｂに印加すべき電圧を１０５Ｖにしなければならない。この場合、ドライバＩＣ２１０Ｂの耐圧を大きくする必要があり、その分、ドライバＩＣ２１０Ｂが大きくなり、高価となる。
【０３３１】
そこで、この例では、図６９Ａ〜図６９Ｃに示すように、１フレームの最初の所定期間（準備期間Ｔｐ）において、全ドットを確実に離隔させるための電圧（離隔電圧）を印加する。この準備期間Ｔｐとしては、１フレーム全体（例えば１／６０Ｈｚ＝１６．７ｍｓ）に対して、発光輝度にほとんど影響を与えない程度の時間（例えば１ｍｓｅｃ）を割り当てる。
【０３３２】
そして、例えば１フレームが開始した時点で準備期間Ｔｐに入り、図６９Ａに示すように、全ドットのカラム電極４８ｂに例えば０Ｖ、図６９Ｂに示すように、ロウ電極４８ａに離隔電圧、例えば１００Ｖ以上をそれぞれ印加し、図６９Ｃに示すように、全ドットにその電位差である１００Ｖ以上を印加させる。これによって、全ドットは、１フレームの開始と共に、確実に消光状態となり、ほとんど部品を追加することなく、画素構成体３０の離隔特性の向上を図ることができ、ディスプレイ１０の歩留まりを向上させることができる。
【０３３３】
図７０Ａ及び図７０Ｂに、前記準備期間を設けた場合でのドット２６の発光特性を測定した実験結果を示す。この実験も、あるドット２６への印加電圧Ｖｃの波形（図７０Ａ参照）を計測しながら、当該ドット２６から散乱される光の強度変化（Ｌｄ）をアバランシェ・フォト・ダイオード（ＡＰＤ）で測定したものである。図７０Ｂから、この発光特性は１フレームの開始時点から急峻にオフ状態に向かっており、１フレーム内でのオフ応答が非常に速いことがわかる。
【０３３４】
この準備期間Ｔｐに印加される離隔電圧はロウドライバで発生されるため、ドライバＩＣ２１０Ｂの耐圧以上の電圧、即ち、画素構成体３０を十分に離隔方向に変位させる電圧を設定することができる。従って、ドライバＩＣ２１０Ｂを変更する必要はない。
【０３３５】
また、ロウ電極駆動回路２０２は、例えば図７１に示すように、全ドットを共通に駆動できる回路であり、簡単に、かつ、安価に実現可能である。図７１に示す回路の動作について簡単に説明すると、準備期間Ｔｐでは、第１の入力端子６２０に高レベル信号、第２の入力端子６２２に低レベル信号がそれぞれ入力される。これにより、第１のフォトカプラ６２４がオン状態、第２のフォトカプラ６２６がオフ状態となって、後段のＣＭＯＳトランジスタ６２８の各ゲートに高レベル信号が印加され、その結果、ＮＭＯＳトランジスタＴｒ１がオンとなり、出力端子６３０から高レベル信号（１００Ｖ）が出力されることになる。
【０３３６】
一方、準備期間Ｔｐ以外の期間では、第１の入力端子６２０に低レベル信号、第２の入力端子６２２に高レベル信号がそれぞれ入力される。これにより、第１のフォトカプラ６２４がオフ状態、第２のフォトカプラ６２６がオン状態となって、後段のＣＭＯＳトランジスタ６２８の各ゲートに低レベル信号が印加され、その結果、ＰＭＯＳトランジスタＴｒ２がオンとなり、出力端子６３０から低レベル信号（５５Ｖ）が出力されることになる。
【０３３７】
ところで、上述の第３〜第６の駆動装置２００Ｃ〜２００Ｆにおいては、図３１〜図３３にも示すように、非選択中のドット２６にオフ信号が供給された際に、当該ドット２６に対して高電圧が印加されることから、画素構成体３０を確実に光導波板２０から離隔させることができ、コントラストの向上を図ることができる。また、非選択信号の電圧（絶対値）をより小さい値に設定することができる。例えば図３３の例では、非選択信号の電圧を１１０Ｖから例えば８０Ｖに小さくすることができ、消費電力の低減に貢献させることができる。
【０３３８】
更に、上述の第１、第３及び第５の駆動装置２００Ａ、２００Ｃ及び２００Ｅが示すサブフィールド駆動や第２、第４及び第６の駆動装置２００Ｂ、２００Ｄ及び２００Ｆが示すリニアサブフィールド駆動において、画像処理による多階調化（例えば誤差拡散法やディザ法など）を加えることによって、表現できる階調数を増やすことができる。
【０３３９】
また、上述のようなサブフィールド駆動やリニアサブフィールド駆動を用いずに、画像処理による階調表現のみを使用することで、各ドットはオン状態あるいはオフ状態で固定となるため、消費電力の低い静止画像を表示することができ、例えば電子ポスターに用いて好適である。この場合、表示する静止画像を別の画像に描き替えるときのみ、ドットを変位駆動すればよいため、消費電力を大幅に低減することができる。
【０３４０】
更に、表示パターンによっては、一定の静止画像を表示する領域と動画像を表示する領域を混在させる場合があるが、このような表示パターンに対応させるために、表示コントローラを動画対応の回路系（サブフィールド駆動やリニアサブフィールド駆動）と静止画対応の回路系（画像処理による階調表現のみ）の２系統を用意することで、動画／静止画の混在表示を消費電力を大幅に抑えて行うことができる。これらの表示形態は、例えば地上波、インターネット、電話回線、衛星あるいはケーブルテレビにおける集中局からコンテンツ（デジタルコンテンツやアナログコンテンツ）を配信する広告等の表示に好適である。
【０３４１】
特に、インターネットを用いた場合、圧縮処理された静止画もしくは動画ファイルを、コンテンツ配信用集中局から配信することが好ましい。集中局から配信されたファイルは、インターネット接続されたディスプレイ側で解凍され、表示データとなる。この場合、画像データ処理回路２２４の前段に、圧縮ファイルデコーダ回路を設ければよい。また、ディスプレイ側（コンテンツ受信側）に、ハードディスク等の外部記憶装置を設けることで、画像コンテンツを記憶させておき、表示時には、この外部記憶装置から画像コンテンツを読み出すようにしてもよい。この場合、集中局から配信されるコンテンツを、一旦、ディスプレイ側の外部記憶装置に蓄積することができる。
【０３４２】
このような方法により、インターネット等で複数のディスプレイと集中局を接続させることで、集中局から、ディスプレイの設置場所、時間帯等に合わせた最適なコンテンツの表示を一括集中管理することができる。
【０３４３】
ここで、上述の機能を実現する１つの使用形態（第１の具体例に係る使用形態）を図７２に基づいて説明する。
【０３４４】
この第１の具体例に係る使用形態は、図７２に示すように、例えば画像メモリ２２２として、静止画用のフレームバッファ７００と動画用のフレームバッファ７０２を設置する。そして、例えばネットワーク７０４からの各種データを受信して後段の回路系に出力するインターフェース回路７０６と、該インターフェース回路７０６から出力されるデータから画像に関するファイル（静止画ファイルや動画ファイル）と制御データとに分離するデータ分離回路７０８と、該データ分離回路７０８からの制御データに基づいて、表示コントローラ２２８を例えば表示ユニット１４単位に制御（静止画に対応する制御と動画に対応する制御）を行う出力制御回路７１０と、画像データ処理回路２２４の前段に設置され、かつ、圧縮された画像に関するファイルを解凍して静止画データと動画データに復元する圧縮ファイルデコーダ回路７１２とを設けることで実現することができる。
【０３４５】
これにより、集中局７１４からネットワーク７０４を介してインターフェース回路７０６にて受信されたデータがデータ分離回路７０８にて画像に関するファイルと制御データとに分離され、それぞれ圧縮ファイルデコーダ回路７１２及び出力制御回路７１０に供給される。
【０３４６】
圧縮ファイルデコーダ回路７１２は、供給された画像に関するファイルを解凍して静止画データと動画データに復元し、後段の画像データ処理回路２２４に出力する。画像データ処理回路２２４は、復元した静止画データを静止画用のフレームバッファ７００に格納し、動画データを動画用のフレームバッファ７０２に格納する。
【０３４７】
一方、出力制御回路７１０は、データ分離回路７０８からの制御データに基づいて表示コントローラ２２８を制御する。ここで、制御データとしては、例えば静止画を表示する表示ユニット１４のアドレスデータ等を用いることができる。出力制御回路７１０は、この制御データに基づいて表示コントローラ２２８における第１及び第２の読出し回路２３２及び２３４やデータ転送部２３０を静止画用と動画用に分離する。
【０３４８】
これにより、表示コントローラ２２８のうち、静止画用に振り分けられた回路系によって、静止画用のフレームバッファ７００から静止画データが読み出されて、アドレスデータが示す複数の表示ユニット１４を通じて静止画が表示され、動画用に振り分けられた回路系によって、動画用のフレームバッファ７０２から動画データが読み出されて、アドレスデータが示す複数の表示ユニット１４以外の複数の表示ユニット１４を通じて動画が表示されることになる。
【０３４９】
更に、第２の具体例に係る使用形態としては、個々のディスプレイ１０において、電源電流等をモニタし、その結果を、それぞれディスプレイ１０のステータス情報として、集中局７１４に定期的に送信するようにしてもよい。
【０３５０】
この場合、図７３に示すように、電源部２０８に監視回路７２０を設け、その出力をステータス情報として送信するインターフェース回路７０６を設けることで実現される。これにより、集中局７１４から遠隔地にある複数のディスプレイ１０が故障しているかどうかを管理することが可能となる。
【０３５１】
次に、第３の具体例に係る使用形態は、経時変化に伴う輝度低下を補正するというものである。つまり、長時間、表示駆動をさせていると、時間の経過に伴って、ドットのオン特性（画素構成体３０が光導波板２０の一主面に接触する特性）が悪くなり、表示輝度の低下を引き起こすおそれがある。これを防止するために、ドットのオン電圧を小さく（絶対値を大きく）することで、表示輝度を初期段階とほぼ同様のレベルに維持させることができる。
【０３５２】
具体的な回路構成としては、図７４に示すように、電源部２０８内に設置された各種電圧生成系（ロウ電極４８ａに印加されるロウ電圧を生成するロウ電圧生成系７２２、カラム電極４８ｂに印加されるオン電圧を生成するオン電圧生成系７２４及びカラム電極４８ｂに印加されるオフ電圧を生成するオフ電圧生成系７２６）のうち、例えばオン電圧生成系７２４において、可変電圧が生成できるようにする。図７４の例では、可変抵抗７２８を設けた例を示す。そして、電源部２０８の前段に集中局７１４からの電圧変更に関する情報を受信するインターフェース回路７０６と、該インターフェース回路７０６からの前記情報に基づいて可変抵抗７２８を制御して前記オン電圧を所望の電圧に設定する電圧制御回路７３０とを設けて構成する。
【０３５３】
そして、工場において、輝度低下の監視に使用されるディスプレイ１０で計測を行った結果を集中局７１４で管理し、各地域に設置されたディスプレイ１０のうち、輝度が低下する時期に該当するディスプレイ１０に対して電圧変更に関する情報をネットワーク７０４を介して送信する。ディスプレイ１０側では、集中局７１４からの前記情報をインターフェース回路７０６を介して受信し、オン電圧生成系７２４で生成されるオン電圧を所望の電圧に変更する。
【０３５４】
例えば、設置時点において、ロウ電圧が５０Ｖ、オン電圧が５０Ｖである場合、オン動作すべきドットには０Ｖが印加されることになる。そして、経時変化によって、輝度が低下し始めた時期に、電圧変更の情報が供給されることで、オン電圧が例えば５２Ｖに変更される。これによって、オン動作すべきドットには０Ｖよりも低い−２Ｖが印加され、画素構成体３０は更に光導波板２０に向かって変位することになり、オン時の輝度が向上することになる。
【０３５５】
更に時間が経過して輝度が低下する時期に、再び電圧変更の情報が供給されることで、オン電圧が例えば５４Ｖに変更される。これによって、オン動作すべきドットには０Ｖよりも低い−４Ｖが印加され、画素構成体３０は更に光導波板２０に向かって変位することになり、オン時の輝度が向上することになる。
【０３５６】
上述の使用形態では、工場での監視用のディスプレイ１０を使って輝度が低下する時期を割り出すようにしたが、その他、現場の管理人から電子メールや電話等を使って輝度が低下していることを連絡してもらい、この輝度低下の連絡に基づいて、当該ディスプレイ１０に向かって集中局７１４から電圧変更の情報を送信するという方法も好ましく採用される。
【０３５７】
上述の例では、ネットワーク７０４を使用して遠隔操作した例を示したが、もちろん、ディスプレイ１０自体に電圧を変更する機能を持たせるようにしてもよい。例えば、電圧制御回路７３０内に設置された複数のレジスタに、予め輝度が低下する時期を示す時間情報と可変抵抗７２８に供給する電圧値をそれぞれ格納しておき、該電圧制御回路７３０の前段に接続されたタイマー７３２（図７４参照）からの時間情報がレジスタ内の時間情報の１つと一致したときに、当該レジスタに格納された電圧値によって可変抵抗７２８を制御して、所望のオン電圧にすることで輝度の低下を抑えることができる。
【０３５８】
また、他の例としては、複数の表示ユニット１４のうち、例えば表示画面の周辺に配列された表示ユニット１４にダミーのアクチュエータ部２２を作り込んでおき、このアクチュエータ部２２の変位状態をセンサ（歪みゲージなど）で検出し、該ダミーのアクチュエータ部２２におけるオン動作時の変位に基づいて輝度が低下しているか否かを判別する、というものである。
【０３５９】
この判別の手法としては、図７５に示すように、多数のダミーのアクチュエータ部２２の群７３４からそれぞれセンサを通じて出力される検出信号を発光輝度計算部７３６に供給し、該発光輝度計算部７３６において、前記検出信号の束から表示画面の全体の輝度を近似計算させる。一方、電圧制御回路７３０内のレジスタにしきい値を格納しておく。そして、電圧制御回路７３０は、発光輝度計算部７３６からの近似値が該しきい値よりも低下したときに、全体の輝度が低下したものとして、オン電圧生成系７２４の可変抵抗７２８を制御し、所望のオン電圧にする。これによって、発光輝度を初期状態に維持させることができる。
【０３６０】
また、他の例としては、図７６に示すように、ディスプレイ１０の表示面を左右に移動するラインセンサ７４０を設置し、定期的にディスプレイ１０において白表示を行いながらラインセンサ７４０を駆動し、発光輝度をラインセンサ７４０で検出するという手法も好ましく採用される。
【０３６１】
この場合も、ラインセンサ７４０から順次出力される撮像信号を発光輝度計算部７３６に供給し、該発光輝度計算部７３６において、連続的に供給される撮像信号に基づいて表示画面の全体の輝度を計算させる。電圧制御回路７３０内のレジスタにはしきい値を格納しておき、発光輝度計算部７３６からの計算値が該しきい値よりも低下したときに、全体の輝度が低下したものとして、オン電圧生成系７２４の可変抵抗７２８を制御し、所望のオン電圧にする。これによって、発光輝度を初期状態に維持させることができる。
【０３６２】
上述の例は、カラム電極４８ｂに印加されるオン電圧を制御することによって輝度補正を行った場合であるが、その他、光源１６を制御することでも輝度補正を実現することができる（第４の具体例に係る使用形態）。
【０３６３】
光源１６として、例えば冷陰極管等を用いた場合は、図７７に示すように、複数本の冷陰極管７４２を束ねてリフレクタ（図示せず）内に設置することで１つの光源１６を構成することができる。この場合、規定の数（例えば１２本）の冷陰極管７４２Ａに加えて、複数（例えば４本）の予備の冷陰極管７２４Ｂを設置し、予備の冷陰極管７２４Ｂと電源７４４との間にそれぞれスイッチＳｗ１、Ｓｗ２、・・・、Ｓｗｎを挿入接続しておく。そして、光源１６の電流を電流検出手段７４６を用いて監視し、電流検出手段７４６からの電流値に基づいて、光源１６から発する光量が低下したか否かを判別し、低下した場合は、スイッチング制御回路７４８を通じて、予備の冷陰極管７４２Ｂの中から所定数（例えば１本）の冷陰極管７４２Ｂに対応するスイッチをオンにして、光量を増大させる。
【０３６４】
もちろん、この光源１６による輝度補正は、以下のような手法を採用するようにしてもよい。まず、現場の管理人から輝度が低下していることを連絡してもらい、この連絡に基づいて集中局７１４からネットワーク７０４を介して輝度補正を行うべき情報を流す。該当するディスプレイ１０は、インターフェース回路７０６を通じて、当該情報を受け取って、スイッチング制御回路７４８に供給する。スイッチング制御回路７４８は、供給された情報に基づいて予備の冷陰極管７４２Ｂの中から所定数（例えば１本）の冷陰極管７４２Ｂに対応するスイッチをオンにする。これによって光源１６の光量が増大し、輝度が向上することとなる。
【０３６５】
ところで、使用時間の経過に伴って、色フィルタの蛍光顔料の退色が進み、特に青色の色フィルタの退色が進行することが知られている。そこで、予備の冷陰極管７４２Ｂとして少なくとも１本の青色を発光する冷陰極管を設置しておき、現場からの退色している旨の連絡に基づいて、前記予備としての青色の冷陰極管を点灯させるようにしてもよい。
【０３６６】
また、予備の冷陰極管７４２Ｂの選択的点灯に加えて、光源１６を冷却するためのファン７５０の出力を調整するようにしてもよい。これにより、急激な温度変化を抑えることができ、長時間の使用が可能となると共に、温度変化に伴う輝度むらなどを抑えることができる。この場合、図７７に示すように、例えばインターフェース回路７０６からの選択的点灯に関する情報に基づいてファン７５０を駆動制御するファン駆動制御回路７５２を設ければよい。
【０３６７】
上述の例では、表示コントローラ２２８の周辺装置を制御することで輝度調整を行った場合を示したが、その他、図７８に示すように、表示コントローラ２２８の補正データメモリ２２６内に論理的に割り付けられた輝度補正テーブル６００内の値を変えることで、輝度調整を行うようにしてもよい（第５の具体例に係る使用形態）。
【０３６８】
この場合、図７８に示すように、あるディスプレイ１０の輝度が低下した時点で、例えば集中局７１４から当該ディスプレイ１０に対して、輝度が低下したときに使用すべき輝度補正値の群をネットワーク７０４を介して送信する。当該ディスプレイ１０においては、集中局７１４からの補正値をインターフェース回路７０６を通じて受け取る。後段のテーブル作成部７６０は、受け取られた補正値に基づいて新たな輝度補正テーブルを作成し、補正データメモリ２２６に格納されている輝度補正テーブル６００に上書きする。
【０３６９】
新たな輝度補正テーブル６００からの各種輝度補正値によって、輝度の低下が抑えられるように各ドットが動作するため、表示輝度を初期段階とほぼ同様のレベルに維持させることができる。
【０３７０】
この輝度補正テーブル６００を上書きする手法は、集中局７１４からの供給のほか、図７４と同様に、タイマー７３２からの時間情報に基づいてテーブル作成部７６０で新たな輝度補正テーブル６００を作成するようにしてもよいし、図７５や図７６と同様に、ダミーのアクチュエータ部２２の群７３４あるいはラインセンサ７４０から発光輝度計算部７３６を通じて出力された計算値に基づいて、テーブル作成部７６０で新たな輝度補正テーブル６００を作成するようにしてもよい。
【０３７１】
輝度補正テーブル６００の書換えは、輝度低下の補償手段としてだけなく、退色によるホワイトバランスのいずれも補償することができる。例えば、青色が退色した場合、青色のみの輝度レベルを向上させるように、輝度補正係数の書換えを行うことで、ホワイトバランスを初期段階とほぼ同じレベルに維持させることができる。
【０３７２】
このように、図７３〜図７８に示す第２〜第５の具体例に係る使用形態を採用することで、ディスプレイ１０に対するメンテナンスをネットワーク７０４を利用して、あるいは自己診断的に自動的に行うことが可能となる。通常、多数の表示ユニット１４が配列されたディスプレイ１０に対するメンテナンスにおいては、簡単な作業であっても、一応、メンテナンス作業員が現場まで駆けつけて修理を行うようにしている。そのため、メンテナンスにかかる費用が莫大になり、ディスプレイ１０の普及にとって思わしくない。
【０３７３】
しかし、上述の第２〜第５の具体例に係る使用形態を採用すれば、輝度調整などの簡単なメンテナンス作業を自動的に行うことができ、メンテナンスにかかる費用の大幅なる低減を図ることができる。また、１つの輝度調整でも各種使用形態に応じてメンテナンス料金を設定することで、きめ細かなメンテナンスサービスを提供することができ、ディスプレイ１０の普及に貢献することができる。
【０３７４】
そして、本発明に係るディスプレイの表示原理を用いれば、そのまま、光出力のＯＮ／ＯＦＦ及び選択的な光出力を行う光スイッチを構成することができる。即ち、光が導入され、漏れることなく伝える光導波路として機能する光導波体と、該光導波体の一方に対向して設けられ、かつ、１つ又は多数の光スイッチ接点に対応した数のアクチュエータ部が配列された駆動部を具備し、入力される光スイッチ制御信号に応じて前記光導波体に対する前記アクチュエータ部の接触・離隔方向の変位動作を制御して、前記光導波体の所定部位の漏れ光を制御することにより、光出力のＯＮ／ＯＦＦ及び選択的に特定の出力にのみ光を取り出す光スイッチを構成することができる。
【０３７５】
なお、この発明に係る表示装置の製造方法は、上述の実施の形態に限らず、この発明の要旨を逸脱することなく、種々の構成を採り得ることはもちろんである。
【０３７６】
【発明の効果】
以上説明したように、本発明に係る表示装置の製造方法によれば、多数の表示ユニットを配列して大画面の表示装置を構成した場合に、表示ユニット間の輝度ばらつきや継ぎ目を目立たせないようにすることができ、画質の向上を図ることができる。
【０３７７】
また、表示むらや明るさの段差などを極力小さくでき、人の目に対する違和感をなくし、画像の画質を高めることができる。
【図面の簡単な説明】
【図１】本実施の形態に係るディスプレイの概略構成を示す斜視図である。
【図２】表示ユニットの構成を示す断面図である。
【図３】表示ユニットの画素構成を示す説明図である。
【図４】アクチュエータ部と画素構成体の第１の構成例を示す断面図である。
【図５】アクチュエータ部に形成される一対の電極の平面形状の一例を示す図である。
【図６】図６Ａは形状保持層の長軸に沿って一対の電極のくし歯を配列させた１つの例を示す説明図であり、図６Ｂは他の例を示す説明図である。
【図７】図７Ａは形状保持層の短軸に沿って一対の電極のくし歯を配列させた１つの例を示す説明図であり、図７Ｂは他の例を示す説明図である。
【図８】表示素子の他の構成を示す断面図である。
【図９】アクチュエータ部と画素構成体の第２の構成例を示す断面図である。
【図１０】アクチュエータ部と画素構成体の第３の構成例を示す断面図である。
【図１１】アクチュエータ部と画素構成体の第４の構成例を示す断面図である。
【図１２】画素構成体の四方にそれぞれ桟を形成した場合の構成を示す説明図である。
【図１３】桟の他の構成を示す説明図である。
【図１４】ロウ電極駆動回路から出力されるオフセット電位（バイアス電位）と、カラム電極駆動回路から出力されるオン信号及びオフ信号の電位並びにロウ電極とカラム電極間に加わる電圧の関係を示す表図である。
【図１５】第１及び第２の実施の形態に係る駆動装置の構成を示す回路図である。
【図１６】第１の実施の形態に係る駆動装置のカラム電極駆動回路におけるドライバＩＣの構成を示すブロック図である。
【図１７】第１の実施の形態に係る駆動装置での階調制御を説明するために、特に、１フレームを複数のサブフィールドに分割した例を示す図である。
【図１８】第１の実施の形態に係る駆動装置における信号処理回路を示すブロック図である。
【図１９】ロウ電極駆動回路から出力されるオフセット電位（バイアス電位）と、カラム電極駆動回路から出力されるオン信号及びオフ信号の電位並びにロウ電極とカラム電極間に加わる電圧の関係の他の例を示す表図である。
【図２０】ロウ電極駆動回路から出力されるオフセット電位（バイアス電位）と、カラム電極駆動回路から出力されるオン信号及びオフ信号の電位並びにロウ電極とカラム電極間に加わる電圧の関係の更に他の例を示す表図である。
【図２１】第２の実施の形態に係る駆動装置での階調制御を説明するために、特に、１フレームを複数のリニアサブフィールドに等分割した例を示す図である。
【図２２】図２２Ａは第２の実施の形態に係る駆動装置で作成されるドットデータにおいて、階調レベルが６２の場合のビット配列を示す説明図であり、図２２Ｂは同じく階調レベルが８の場合のビット配列を示す説明図である。
【図２３】第２及び第４の実施の形態に係る駆動装置における信号処理回路を示すブロック図である。
【図２４】第２の実施の形態に係る駆動装置で使用されるドライバＩＣの構成を示すブロック図である。
【図２５】第２の実施の形態に係る駆動装置で使用されるデータ転送部の構成を示すブロック図である。
【図２６】第１データ出力回路でのデータ分割を示す説明図である。
【図２７】第１データ出力回路から第２データ出力回路へのデータの転送形態を示す説明図である。
【図２８】第３及び第４の実施の形態に係る駆動装置の構成を示す回路図である。
【図２９】第３の実施の形態に係る駆動装置での階調制御を説明するために、特に、１フレームを２つのフィールドに分割し、更に１フィールドを複数のサブフィールドに分割した例を示す図である。
【図３０】第３の実施の形態に係る駆動装置における信号処理回路を示すブロック図である。
【図３１】ロウ電極駆動回路から出力される選択信号及び非選択信号の電位とカラム電極駆動回路から出力されるオン信号及びオフ信号の電位並びにロウ電極とカラム電極間に加わる電圧の関係を示す表図である。
【図３２】ロウ電極駆動回路から出力される選択信号及び非選択信号の電位とカラム電極駆動回路から出力されるオン信号及びオフ信号の電位並びにロウ電極とカラム電極間に加わる電圧の関係の他の例を示す表図である。
【図３３】ロウ電極駆動回路から出力される選択信号及び非選択信号の電位とカラム電極駆動回路から出力されるオン信号及びオフ信号の電位並びにロウ電極とカラム電極間に加わる電圧の関係の更に他の例を示す表図である。
【図３４】第４の実施の形態に係る駆動装置での階調制御を説明するために、特に、１フレームを２つのフィールドに分割し、更に１フィールドを複数のリニアサブフィールドに等分割した例を示す図である。
【図３５】第４の実施の形態に係る駆動装置における信号処理回路を示すブロック図である。
【図３６】第５の実施の形態に係る駆動装置が適用される表示素子の画素構成を示す説明図である。
【図３７】第５の実施の形態に係る駆動装置での階調制御を説明するために、特に、１フレームを３つのフィールドに分割し、更に１フィールドを複数のサブフィールドに分割した例を示す図である。
【図３８】第５及び第６の実施の形態に係る駆動装置の構成を示す回路図である。
【図３９】第５の実施の形態に係る駆動装置における信号処理回路を示すブロック図である。
【図４０】第６の実施の形態に係る駆動装置での階調制御を説明するために、特に、１フレームを３つのフィールドに分割し、更に１フィールドを複数のリニアサブフィールドに等分割した例を示す図である。
【図４１】第６の実施の形態に係る駆動装置における信号処理回路を示すブロック図である。
【図４２】図４２Ａは静電気を利用した表示素子の一例において、その発光状態の場合を示す断面図であり、図４２Ｂはその消光状態の場合を示す断面図である。
【図４３】図４３Ａは静電気を利用した表示素子の他の例において、その発光状態の場合を示す断面図であり、図４３Ｂはその消光状態の場合を示す断面図である。
【図４４】アクチュエータ部の他の構成を示す断面図である。
【図４５】輝度補正手段を説明するためのブロック図である。
【図４６】輝度補正テーブルの作成過程を示すフローチャートである。
【図４７】各ドットの輝度分布の一例を示す特性図である。
【図４８】各ドットの輝度分布の他の例を示す特性図である。
【図４９】図４９Ａは、移動平均化において、２ｍ＋１行×２ｎ＋１列にて構成される矩形の領域内に配列された複数のドットを選択した例を示す説明図であり、図４９Ｂは、移動平均化において、２ｍ＋１行×２ｎ＋１列にて構成される矩形の領域に収まるほぼ円形の領域内に配列された複数のドットを選択した例を示す説明図である。
【図５０】移動平均化によって作成した輝度補正係数の特性を示す図である。
【図５１】いわゆるボトムアップ法による輝度補正係数の作成過程を示すフローチャートである。
【図５２】いわゆるトップダウン法による輝度補正係数の作成過程を示すフローチャートである。
【図５３】色温度を加味した輝度補正係数の作成過程を示すフローチャートである。
【図５４】原点を通る輝度補正係数に対する変更の一例を示す図である。
【図５５】原点を通らない輝度補正係数への変更の一例を示す図である。
【図５６】表示ユニットの配列決定方法の一例を示すフローチャートである。
【図５７】図５７Ａは特性値に基づく表示ユニットのランク分けの基準の一例を示す表図であり、図５７Ｂは総合ランクへのランク分けの内訳を示す表図である。
【図５８】図５８Ａは１台目のディスプレイに対する表示ユニットの配列形態を示す説明図であり、図５８Ｂは２台目のディスプレイに対する表示ユニットの配列形態を示す説明図である。
【図５９】図５９Ａは表示ユニットを配列領域の中央部分に配列する場合の順序の一例を示す説明図であり、図５９Ｂはその他の例を示す説明図である。
【図６０】図６０Ａは表示ユニットを配列領域の周辺部分に配列する場合の順序の一例を示す説明図であり、図６０Ｂはその他の例を示す説明図である。
【図６１】線形補正手段を説明するためのブロック図である。
【図６２】図６２Ａはある１つのドットの発光輝度特性を示す図であり、図６２Ｂは発光輝度特性を線形化するための重み係数を示す特性図であり、図６２Ｃは線形化された後の発光輝度分布を示す特性図である。
【図６３】図６３Ａはガンマ補正がかけられたテレビ信号の発光輝度特性を示す図であり、図６３Ｂはガンマ補正を打ち消すための重み係数を示す特性図であり、図６３Ｃは線形化された後の発光輝度分布を示す特性図である。
【図６４】調光制御手段を説明するためのブロック図である。
【図６５】図６５Ａは光源の切換えタイミングの一例を示すタイミングチャートであり、図６５Ｂは階調レベルに応じて選択されるリニアサブフィールドの組合せの一例を示すタイミングチャートである。
【図６６】図６６Ａは光源の切換えタイミングの他の例を示すタイミングチャートであり、図６６Ｂは階調レベルに応じて選択されるリニアサブフィールドの組合せの他の例を示すタイミングチャートである。
【図６７】図６７Ａは通常の駆動においてカラム電極に印加される信号を示す波形図であり、図６７Ａはロウ電極に印加される信号を示す波形図であり、図６７Ｃはドットに印加される電圧を示す波形図である。
【図６８】図６８Ａは通常動作における印加電圧波形を示す図であり、図６８Ｂはその光強度分布を示す図である。
【図６９】図６９Ａは準備期間を設けた場合においてカラム電極に印加される信号を示す波形図であり、図６９Ｂはロウ電極に印加される信号を示す波形図であり、図６９Ｃはドットに印加される電圧を示す波形図である。
【図７０】図７０Ａは準備期間を設けた場合における印加電圧波形を示す図であり、図７０Ｂはその光強度分布を示す図である。
【図７１】ロウ電極駆動回路に用いられる回路の一例を示す図である。
【図７２】第１の具体例に係る使用形態を示すブロック図である。
【図７３】第２の具体例に係る使用形態を示すブロック図である。
【図７４】第３の具体例に係る使用形態を示すブロック図である。
【図７５】第３の具体例に係る使用形態の第１の変形例を示すブロック図である。
【図７６】第３の具体例に係る使用形態の第２の変形例を示すブロック図である。
【図７７】第４の具体例に係る使用形態を示すブロック図である。
【図７８】第５の具体例に係る使用形態を示すブロック図である。
【図７９】提案例に係る表示装置を示す構成図である。
【図８０】提案例に係る表示装置の周辺回路を示すブロック図である。
【符号の説明】
１０…ディスプレイ　　　　　　　　１２…導光板
１４…表示素子　　　　　　　　　　１６…光源
１８…光　　　　　　　　　　　　　２０…光導波板
２２…アクチュエータ部　　　　　　２４…駆動部
３０…画素構成体　　　　　　　　　３２…アクチュエータ基板
３８…振動部　　　　　　　　　　　４０…固定部
４６…形状保持層　　　　　　　　　４８ａ…ロウ電極
４８ｂ…カラム電極　　　　　　　　６２…散乱光
７０…配線　　　　　　　　　　　　７２…データ線
７４…共通配線　　　　　　　　　　７６…バリスタ
２００Ａ〜２００Ｆ…駆動装置　　　２０２…ロウ電極駆動回路
２０４…カラム電極駆動回路　　　　２０６…信号処理回路
２０８…電源部　　　　　　　　　　２１０…ドライバ出力
２２０…動画出力機器　　　　　　　２２２…画像メモリ
２２４…画像データ処理回路　　　　２２６…補正データメモリ
２２８…表示コントローラ　　　　　２３０…データ転送部
２５０…第１のシフトレジスタ　　　２５２…第２のシフトレジスタ
２６０…シフトレジスタ　　　　　　２６２…出力回路
２７０…第１データ出力回路　　　　２７２…第２データ出力回路
２８０…第１のドライバ　　　　　　２８２…第２のドライバ
２９０…透明電極　　　　　　　　　６００…輝度補正テーブル
６０２…輝度補正手段　　　　　　　６１０…線形補正テーブル
６１２…線形補正手段　　　　　　　６４０…調光制御手段
６４２…光源駆動回路
【図１】
2004086165.tif 000003
【図２】
2004086165.tif 000004
【図３】
2004086165.tif 000005
【図４】
2004086165.tif 000006
【図５】
2004086165.tif 000007
【図６】
2004086165.tif 000008
【図７】
2004086165.tif 000009
【図８】
2004086165.tif 000010
【図９】
2004086165.tif 000011
【図１０】
2004086165.tif 000012
【図１１】
2004086165.tif 000013
【図１２】
2004086165.tif 000014
【図１３】
2004086165.tif 000015
【図１４】
2004086165.tif 000016
【図１５】
2004086165.tif 000017
【図１６】
2004086165.tif 000018
【図１７】
2004086165.tif 000019
【図１８】
2004086165.tif 000020
【図１９】
2004086165.tif 000021
【図２０】
2004086165.tif 000022
【図２１】
2004086165.tif 000023
【図２２】
2004086165.tif 000024
【図２３】
2004086165.tif 000025
【図２４】
2004086165.tif 000026
【図２５】
2004086165.tif 000027
【図２６】
2004086165.tif 000028
【図２７】
2004086165.tif 000029
【図２８】
2004086165.tif 000030
【図２９】
2004086165.tif 000031
【図３０】
2004086165.tif 000032
【図３１】
2004086165.tif 000033
【図３２】
2004086165.tif 000034
【図３３】
2004086165.tif 000035
【図３４】
2004086165.tif 000036
【図３５】
2004086165.tif 000037
【図３６】
2004086165.tif 000038
【図３７】
2004086165.tif 000039
【図３８】
2004086165.tif 000040
【図３９】
2004086165.tif 000041
【図４０】
2004086165.tif 000042
【図４１】
2004086165.tif 000043
【図４２】
2004086165.tif 000044
【図４３】
2004086165.tif 000045
【図４４】
2004086165.tif 000046
【図４５】
2004086165.tif 000047
【図４６】
2004086165.tif 000048
【図４７】
2004086165.tif 000049
【図４８】
2004086165.tif 000050
【図４９】
2004086165.tif 000051
【図５０】
2004086165.tif 000052
【図５１】
2004086165.tif 000053
【図５２】
2004086165.tif 000054
【図５３】
2004086165.tif 000055
【図５４】
2004086165.tif 000056
【図５５】
2004086165.tif 000057
【図５６】
2004086165.tif 000058
【図５７】
2004086165.tif 000059
【図５８】
2004086165.tif 000060
【図５９】
2004086165.tif 000061
【図６０】
2004086165.tif 000062
【図６１】
2004086165.tif 000063
【図６２】
2004086165.tif 000064
【図６３】
2004086165.tif 000065
【図６４】
2004086165.tif 000066
【図６５】
2004086165.tif 000067
【図６６】
2004086165.tif 000068
【図６７】
2004086165.tif 000069
【図６８】
2004086165.tif 000070
【図６９】
2004086165.tif 000071
【図７０】
2004086165.tif 000072
【図７１】
2004086165.tif 000073
【図７２】
2004086165.tif 000074
【図７３】
2004086165.tif 000075
【図７４】
2004086165.tif 000076
【図７５】
2004086165.tif 000077
【図７６】
2004086165.tif 000078
【図７７】
2004086165.tif 000079
【図７８】
2004086165.tif 000080
【図７９】
2004086165.tif 000081
【図８０】
2004086165.tif 000082